【事件の表示】
　特許第３１８０６７８号「強制循環用浴槽連結装置」の請求項１ないし８、１１ないし１８に係る特許に対する特許異議の申立てについて、次のとおり決定する。
【結　論】
　訂正を認める。
　特許第３１８０６７８号の請求項１ないし５、８ないし１５に係る特許を維持する。
【理　由】
〔１〕本件特許及び本件特許異議事件の手続の経緯
  本件特許及び本件特許異議事件（特許第３１８０６７８号（以下「本件特許」という。）異議申立て）に係る手続の経緯の概要は、以下のとおりである。
１）本件特許の出願日：平成８年８月５日
２）審査請求：平成１１年１１月２５日（受付）
３）刊行物等提出：平成１２年４月１０日
４）刊行物等提出：平成１２年９月２５日
５）手続補正書：平成１２年９月２９日（受付）
６）早期審査に関する事情説明書：平成１２年９月２９日（受付）
７）早期審査に関する報告：平成１２年１０月１３日付け
８）刊行物等提出：平成１２年１１月３０日
９）拒絶理由通知：平成１２年１２月５日（発送日）
10）刊行物等提出：平成１２年１２月２８日
11）意見書及び手続補正書：平成１３年２月５日（受付）
12）特許査定：平成１３年３月９日付け
13）刊行物等提出：平成１３年３月２９日
14）特許権の設定の登録：平成１３年４月２０日
15）特許掲載公報の発行：平成１３年６月２５日
16）特許異議の申立：平成１３年１２月２１日
17）口頭審理陳述要領書（異議申立人）：平成１４年８月１３日付け
18）口頭審理陳述要領書（特許権者）：平成１４年８月２０日付け
19）口頭による審尋：平成１４年８月２２日
20）口頭審理：平成１４年８月２２日
21）取消理由通知：平成１４年８月２６日付け
22）物件提出書：平成１４年８月２６日
23）訂正請求書：平成１４年９月１７日
　
〔２〕訂正の適否についての判断
１．本件訂正請求は、以下の事項について訂正するものである。
（ア）訂正事項１
　特許請求の範囲の請求項１中、
「二つの接続部のいずれからでも吸引可能に導く弁」を「二つの接続部のいずれからでも吸引可能に導く導入弁」と、「上記吸い込み口からの入水を二つの接続部に導入可能に設けられた二つの弁」を「上記吸い込み口からの入水を二つの接続部に導入可能に設けられた二つの導入弁」と、「二つの接続部のいずれからの入水をも吐出口に導く二つの弁」を「二つの接続部のいずれからの入水をも吐出口に導く二つの吐出弁」と、「前記フィルターの他の部位に比べて流速が早いことが予想される部位が封鎖されている」を「前記フィルターの他の部位に比べて流速が早いことが予想される弁取り付け部に面した部位が封鎖されている」と訂正するとともに、「仕切り部材は底板と本体から構成され、仕切り部材に」の直後に「二つの弁取り付け部があり、」との記載を挿入。
（イ）訂正事項２
　特許請求の範囲の請求項２中、
「二つの接続部のいずれからでも吸引可能に導く弁」（２箇所）を「二つの接続部のいずれからでも吸引可能に導く導入弁」と、「一方の接続部からの入水を一つの吐出口に導く弁」を「一方の接続部からの入水を一つの吐出口に導く吐出弁」と、「他方の接続部からの入水をもう一つの吐出口に導く弁」を「他方の接続部からの入水をもう一つの吐出口に導く吐出弁」と、「内蔵する」を「内蔵し、接続部のいずれから入る湯も導入弁によって吸い込み口に流れることは阻止され、吐出口からの入湯は、吐出弁によって流れが阻止される」と訂正。
（ウ）訂正事項３
　特許請求の範囲の請求項４中、
　「フィルター部材を有し、」の直後に、「仕切り部材に二つの弁取り付け部があり、」との記載を挿入するとともに、「前記フィルターの他の部位に比べて流速が早いことが予想される部位が封鎖されている」を「前記フィルターの他の部位に比べて流速が早いことが予想される弁取り付け部に面した部位が封鎖されている」と訂正。
（エ）訂正事項４
　特許請求の範囲の請求項５、６及び７を削除。
（オ）訂正事項５
　訂正前の請求項８を請求項５に繰り上げるとともに、同項中、「二つの接続部のいずれからでも吸引可能に導く弁の組み合わせ」を「二つの接続部のいずれからでも吸引可能に導く導入弁の組み合わせ」と、「二つの接続部に導入可能に設けられた二つの弁」を「二つの接続部に導入可能に設けられた二つの導入弁」と、「フィルター部材は」の直前の「を備え、」を「及び二つの接続部のいずれからの入水をも吐出口に導く二つの吐出弁が取り付けられ、」と、「フィルター部材の前記弁に面した部分」を「フィルター部材の前記二つの導入弁に面した部分」と訂正。
（カ）訂正事項６
　訂正前の請求項９を請求項６に繰り上げるとともに、同項中、「二つの接続部のいずれからでも吸引可能に導く弁」を「二つの接続部のいずれからでも吸引可能に導く導入弁」と、「吸い込み口からの入水を二つの接続部に導入可能に設けられた二つの弁」を「吸い込み口からの入水を二つの接続部に導入可能に設けられた二つの導入弁」と訂正。
（キ）訂正事項７
　訂正前の請求項１０を請求項７に繰り上げるとともに、同項中の「弁」（５箇所）を「導入弁」と訂正。
（ク）訂正事項８
　訂正前の請求項１１を請求項８に繰り上げるとともに、同項中の「弁」を「吐出弁」と、「請求項１，３，４，５，６，７，８，９，１０のいずれか」を「請求項１，３，４，５，６，７のいずれか」と訂正。
（ケ）訂正事項９
　訂正前の請求項１２を請求項９に繰り上げるとともに、同項中の「弁」（２箇所）を「吐出弁」と、「請求項１１に記載の」を「請求項８に記載の」と訂正。
（コ）訂正事項１０
　訂正前の請求項１３を請求項１０に繰り上げるとともに、同項中の「弁」を「吐出弁」と、「請求項１２に記載の」を「請求項９に記載の」と訂正。
（サ）訂正事項１１
　訂正前の請求項１４を請求項１１に繰り上げるとともに、同項中の「請求項１，３，４，５，６，７，８，９，１０，１１，１２，１３のいずれか」を「請求項１，３，４，５，６，７のいずれか」と訂正。
（シ）訂正事項１２
　訂正前の請求項１５を請求項１２に繰り上げるとともに、同項中の「請求項１４に記載の」を「請求項１１に記載の」と訂正。
（ス）訂正事項１３
　訂正前の請求項１６を請求項１３に繰り上げるとともに、同項中の「弁」を「吐出弁」と、「請求項１，３，４，５，６，７，８，９，１０，１１，１２，１３、１４，１５のいずれか」を「請求項１，３，４，５，６，７、８，９，１０，１１，１２のいずれか」訂正。
（セ）訂正事項１４
　訂正前の請求項１７を請求項１４に繰り上げるとともに、同項中の「請求項１，３，４，５，６，７，８，９，１０，１１，１２，１３，１４，１５，１６のいずれか」を「請求項１，３，４，５，６，７，８，９，１０，１１，１２，１３のいずれか」と訂正。
（ソ）訂正事項１５
　訂正前の請求項１８を請求項１５に繰り上げるとともに、同項中の「請求項１７に記載の」を「請求項１４に記載の」と訂正。
（タ）訂正事項１６
　発明の詳細な説明の段落【００２１】中、
「二つの接続部のいずれからでも吸引可能に導く弁」（６箇所）を「二つの接続部のいずれからでも吸引可能に導く導入弁」と、「導入可能に設けられた二つの弁」（２箇所）を「導入可能に設けられた二つの導入弁」と、「吐出口に導く二つの弁」を「吐出口に導く二つの吐出弁」と、「流速が早いことが予想される部位」（２箇所）を「流速が早いことが予想される弁取り付け部に面した部位」と、「一方の接続部からの入水を一つの吐出口に導く弁」を「一方の接続部からの入水を一つの吐出口に導く吐出弁」と、「他方の接続部からの入水をもう一つの吐出口に導く弁」を「他方の接続部からの入水をもう一つの吐出口に導く吐出弁」と、「内蔵する」を「内蔵し、接続部のいずれから入る湯も導入弁によって吸い込み口に流れることは阻止され、吐出口からの入湯は、吐出弁によって流れが阻止される」と、「請求項８」を「請求項５」と、「吸い込み口からの入水を二つの接続部に導入可能に設けられた二つの弁」を「吸い込み口からの入水を二つの接続部に導入可能に設けられた二つの導入弁」と、「を備え、」を「及び二つの接続部のいずれからの入水をも吐出口に導く二つの吐出弁が取り付けられ、」と、「フィルター部材の前記弁に面した部分」を「フィルター部材の前記二つの導入弁に面した部分」と、「請求項９」を「請求項６」と、「請求項１０」を「請求項７」と、「導入可能な弁」を「導入可能な導入弁」と、「該弁」を「該導入弁」と、「であり、弁は」を「であり、導入弁」と、「さらに弁」を「さらに導入弁」と、「請求項１１」を「請求項８」と、「設けられ、弁」を「設けられ、吐出弁」と、「請求項１，３，４，５，６，７，８，９，１０」を「請求項１，３，４，５，６，７」と、「請求項１２」を「請求項９」と、「弁はスイング形であり」を「吐出弁はスイング形であり」と、「当接部材によって弁」を「当接部材によって吐出弁」と、「請求項１１」を「請求項８」と、「請求項１３」を「請求項１０」と、「弁の可動部は」を「吐出弁の可動部は」と、「請求項１２」を「請求項９」と、「請求項１４」を「請求項１１」と、「請求項１，３，４，５，６，７，８，９，１０，１１，１２，１３」を「請求項１，３，４，５，６，７，８，９，１０」と、「請求項１５」を「請求項１２」と、「請求項１４」を「請求項１１」と、「請求項１６」を「請求項１３」と、「仕切り部材の弁」を「仕切り部材の吐出弁」と、「請求項１，３，４，５，６，７，８，９，１０，１１，１２，１３，１４，１５」を「請求項１，３，４，５，６，７，８，９，１０，１１，１２」と、「請求項１７」を「請求項１４」と、「請求項１，３，４，５，６，７，８，９，１０，１１，１２，１３，１４，１５，１６」を「請求項１，３，４，５，６，７，８，９，１０，１１，１２，１３」と、「請求項１８」を「請求項１５」と、「請求項１７」を「請求項１４」と訂正し、「仕切り部材に」の直後に「二つの弁取り付け部があり、」という記載を、「フィルター部材を有し、」の直後に「仕切り部材に二つの弁取り付け部があり、」という記載を挿入し、「請求項５に記載の発明は・・・連結装置である。」を削除。
（チ）訂正事項１７
　図面の簡単な説明の符号の説明中、
１）「１６，１８　吐出弁」の次行に「２０　外嵌合部材」、その次の行に「２１　内嵌合部材」、その次の行に「２２　仕切り部材」、その次の行に「２３　フィルター部材」、その次の行に「３２　円筒状突起」、その次の行に「３３　雌ねじ」を挿入。
２）「３６ 本体」の次行に「３８　管状部」、その次の行に「４０　フランジ部」、その次の行に「４３　凹部」、その次の行に「４５　貫通孔」を挿入。
３）「５３ 軸挿通孔」の次行に「５６　孔」を挿入。
４）「８８ 導入部」の次行に「９０　突起」、その次の行に「９１　突起」、その次の行に「９５　外装部材」、その次の行に「９６　内装部材」を挿入。
５）「１３３，１３５ 吐出弁」の次行に「１４５　突起」を挿入。
６）「１５３ 樹脂の板」の次行に「１５５　吐出弁」、その次の行に「１５６　当接部材」を挿入。
７）「１６２ 吐出弁」の次行に「２０３　往き配管」、その次の行に「２０５　戻り配管」を挿入。
ツ）訂正事項１８
　図面について、
１）図１７(a)内の符号２０を２２と訂正。
２）図２５(a)内の符号５０を５８と訂正。
３）その他、図１(a)(b)、図３、図４、図５、図９(a)(b)、図１０(a)(b)、図１１、図１３(a)(b)(c)、図１５、図１６、図１７(a) 、図１８、図２０、図２２、図２３、図２５(a)(b)、図２６(a)(b) 、図２７、図３０、図３４、図３６中に符号を追加。
　
２．そこで、上記訂正事項について検討する。
　訂正事項１の「弁」を「導入弁」、「吐出弁」とする訂正は、いずれも明りょうでない記載の釈明を目的とするものであり、「仕切り部材は底板と本体から構成され、仕切り部材に」を「仕切り部材は底板と本体から構成され、仕切り部材に二つの弁取り付け部があり、」とする訂正は、「仕切り部材」について限定するもので、「前記フィルターの他の部位に比べて流速が早いことが予想される部位が封鎖されている」を「前記フィルターの他の部位に比べて流速が早いことが予想される弁取り付け部に面した部位が封鎖されている」とする訂正は、「部位」について限定するもので、それぞれ特許請求の範囲の減縮を目的とするものであると認められる。
　訂正事項２の「弁」を「導入弁」、「吐出弁」とする訂正は、いずれも明りょうでない記載の釈明を目的とするものであり、「内蔵する」を「内蔵し、接続部のいずれから入る湯も導入弁によって吸い込み口に流れることは阻止され、吐出口からの入湯は、吐出弁によって流れが阻止される」とする訂正は、湯の流れる方向について限定するもので、特許請求の範囲の減縮を目的とするものであると認められる。
　訂正事項３の「仕切り部材に二つの弁取り付け部があり、」という記載を挿入する訂正は、「仕切り部材」について限定するものであり、「前記フィルターの他の部位に比べて流速が早いことが予想される部位が封鎖されている」を「前記フィルターの他の部位に比べて流速が早いことが予想される弁取り付け部に面した部位が封鎖されている」とする訂正は、「部位」について限定するものであり、いずれも特許請求の範囲の減縮を目的とするものであると認められる。
　訂正事項４の、請求項５ないし７を削除する訂正は、特許請求の範囲の減縮を目的とするものである。
　訂正事項５の「弁」を「導入弁」とする訂正は明りょうでない記載の釈明を目的とするものであり、「及び二つの接続部のいずれからの入水をも吐出口に導く二つの吐出弁が取り付けられ、」という記載を挿入する訂正は、「仕切り部材」について限定するものであるから、特許請求の範囲の減縮を目的とするものであると認められる。
　訂正事項６ないし１５も明りょうでない記載の釈明を目的とするものであると認められる。
　訂正事項１６〜１８は、上記請求項の訂正にともなって、特許請求の範囲の記載と発明の詳細な説明、図面の簡単な説明、図面の記載を整合させたものと認められるから、これらの訂正は、いずれも明りょうでない記載の釈明を目的とするものであると認められる。
　そして、以上の各訂正事項は、特許法第１２０条の４第２項第１号及び第３号に該当し、いずれも願書に添付した明細書及び図面に記載した事項の範囲内においてされたものであり、かつ、実質上特許請求の範囲を拡張し又は変更するものでもない。
　そうすると、上記訂正は、特許法第１２０条の４第２項及び同条第３項において準用する同法第１２６条第２項及び第３項の規定に適合するものであるので、当該訂正を認める。
　
〔３〕特許異議申立てについての判断
１．特許異議申立人浦田英清の主張は、訂正前の請求項１ないし８，１１ないし１８に係る特許は特許法第２９条第２項の規定に違反してなされたものであり、請求項１，２，６，７，１５に係る特許は特許法第３６条第６項第３号の規定に違反してなされたものである、というにあるものと認められる。
（証拠方法）
甲第１号証：実公平３−３４６０７号公報
甲第２号証：実願平３−７５１９７号（実開平５−１９８５９号）のＣＤ−ＲＯＭ
甲第３号証：実願平３−４５６８９号（実開平４−１３２３６５号）のマイクロフィルム甲第４号証：実公昭６０−５３０６号公報
甲第５号証：特開平８−１４６６７号公報
甲第６号証：特開平７−２３９１５５号公報
甲第７号証：実願平３−６４７７３号（実開平５−１７２７７号）のＣＤ−ＲＯＭ
甲第８号証：実願昭６３−４４７６号（実開平１−１０９６７１号）のマイクロフィルム　
２．そこで、先に、特許法第３６条第６項第３号の規定に違反するとの異議申立人の主張について検討すると、異議申立人の主張は、訂正前の請求項１，２，６，７，１５の各請求項では、前段で導入弁を特定しているにもかかわらず後段においても導入弁を重複特定しているため、その記載が冗長である、というにある。
　しかし、各請求項では、前段の導入弁について、「二つの接続部のいずれからでも吸引可能に導く」と説明され、後段でさらに「吸い込み口からの入水を二つの接続部に導入可能に設けられた二つの」と説明したものであり、その記載が発明の構成が明りょうでないといわなければならないほどに冗長であるとはいえず、請求項の記載が特許法第３６条第６項第３号の規定に違反したものであるとはいえない。
　よって、この点に関する異議申立人の主張は採用できない。
　
３．次に、訂正前の請求項１ないし８，１１ないし１８に係る特許が特許法第２９条第２項の規定に違反するとの異議申立人の主張について検討する。
　
（１）本件特許の請求項１ないし１５に係る発明は、訂正明細書の特許請求の範囲の請求項１ないし１５に記載された事項により特定される以下のとおりのものと認める。
　ただし、請求項６及び７は、訂正前の請求項９及び１０に対応し、特許異議の申立てがされていない請求項である。
「請求項１
　強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く導入弁を内蔵し、強制循環式熱源機と浴槽とを接続する強制循環用浴槽連結装置において、二つの接続部と連通し、接続部と吐出口及び吸い込み口とを繋ぐ仕切り部材と、フィルター部材を有し、仕切り部材は底板と本体から構成され、仕切り部材に二つの弁取り付け部があり、上記吸い込み口からの入水を二つの接続部に導入可能に設けられた二つの導入弁及び二つの接続部のいずれからの入水をも吐出口に導く二つの吐出弁が取り付けられ、フィルター部材は、碗状の外装部材と、前記外装部材と相似形の内装部材と、フィルターからなり、前記外装部材と内装部材の間にフィルターを挟んで構成され、前記フィルターの他の部位に比べて流速が早いことが予想される弁取り付け部に面した部位が封鎖されていることを特徴とする強制循環用浴槽連結装置。
　請求項２
　強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く導入弁を内蔵し、強制循環式熱源機と浴槽とを接続する強制循環用浴槽連結装置において、二つの吐出口を有し、内部には独立した二つの流路が形成され、一つの流路は一方の接続部から一つの吐出口に連通し、他方の流路は他方の接続部からもう一つの吐出口に連通し、さらに一方の接続部からの入水を一つの吐出口に導く吐出弁と、他方の接続部からの入水をもう一つの吐出口に導く吐出弁と、吸い込み口からの入水を二つの接続部のいずれからでも吸引可能に導く導入弁の組み合わせを内蔵し、接続部のいずれから入る湯も導入弁によって吸い込み口に流れることは阻止され、吐出口からの入湯は、吐出弁によって流れが阻止されることを特徴とする強制循環用浴槽連結装置。
　請求項３
　接続部と吐出口及び吸い込み口とを繋ぐ仕切り部材と、フィルター部材を有することを特徴とする請求項２に記載の強制循環用浴槽連結装置。
　請求項４
　フィルター部材を有し、仕切り部材に二つの弁取り付け部があり、前記フィルターの他の部位に比べて流速が早いことが予想される弁取り付け部に面した部位が封鎖されていることを特徴とする請求項２又は３に記載の強制循環用浴槽連結装置。
　請求項５
　強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く導入弁の組み合わせを内蔵し、強制循環式熱源機と浴槽とを接続する強制循環用浴槽連結装置において、二つの接続部と連通し、接続部と吐出口及び吸い込み口とを繋ぐ仕切り部材とフィルター部材を有し、仕切り部材には吸い込み口からの入水を二つの接続部に導入可能に設けられた二つの導入弁及び二つの接続部のいずれからの入水をも吐出口に導く二つの吐出弁が取り付けられ、フィルター部材は、仕切り部材に取り付けられていて、仕切り部材とフィルターとの間には、吸い込み室となる空間が形成され、該空間に面した部分にフィルターが装着され、フィルター部材の前記二つの導入弁に面した部分は封鎖されていることを特徴とする強制循環用浴槽連結装置。
　請求項６
  強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く導入弁の組み合わせを内蔵した強制循環式熱源機と浴槽とを接続する強制循環用浴槽連結装置において、二つの接続部と連通し、接続部と吐出口及び吸い込み口とを繋ぐ仕切り部材と該仕切り部材に取り付られるフィルター部材を有し、仕切り部材の正面には吸い込み口からの入水を二つの接続部に導入可能に設けられた二つの導入弁を備え、仕切り部材の側面には吐出口に連通する開口と空気抜き用の小孔を備え、フィルター部材の正面には吸い込み口となるフィルターを備えた開口を有し、側面には吐出口となるフィルターの無い開口と空気抜き用の小孔を有し、フィルター部材が仕切り部材に取り付けられた状態の時には、前記仕切り部材の空気抜き用の小孔とフィルター部材の空気抜き用の小孔は孔位置が不一致であることを特徴とする強制循環用浴槽連結装置。
　請求項７
  強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く導入弁の組み合わせを内蔵した強制循環式熱源機と浴槽とを接続する強制循環用浴槽連結装置において、二つの接続部と連通し、接続部と吐出口及び吸い込み口とを繋ぐ仕切り部材とフィルター部材を有し、フィルター部材は、仕切り部材に取り付けられていて、仕切り部材とフィルター部材との間には、吸い込み室となる空間が形成され、前記仕切り部材には吸い込み室となる空間から接続部に水を導入可能な導入弁を付設した開口が設けられ、該導入弁は中央部に軸が設けられた可撓性物であり、導入弁は前記開口の仕切り部材側にあって軸は仕切り部材のフィルター部材側の壁に挿通されて支持され、さらに導入弁の軸裏側は、突起によって支持されていることを特徴とする強制循環用浴槽連結装置。
　請求項８
　仕切り部材の本体は円盤形状であり、本体の周壁に開口が設けられ、吐出弁は、当該開口に取り付けられていることを特徴とする請求項１，３，４，５，６，７のいずれかに記載の強制循環用浴槽連結装置。
　請求項９
　吐出弁はスイング形であり、可動部の背面に当接部材が設けられ、当該当接部材によって吐出弁の開度が制限されることを特徴とする請求項８に記載の強制循環用浴槽連結装置。
　請求項１０
　吐出弁の可動部は前記仕切り部材の円盤形状の円弧形状と略合致することを特徴とする請求項９に記載の強制循環用浴槽連結装置。
　請求項１１
　仕切り部材は底板と本体を有し、前記底板はフランジ部と、フランジ部から突き出した管状部を有し、前記フランジ部には貫通孔が設けられ、本体と底板が組合わさった状態では、仕切り部材の内部は、流路形成壁によって、二つの空間に仕切られ、一方の仕切り内には、底板の管状部が開口し、この仕切り内の空間は、当該管状部を介して外部と連通し、他方の仕切りは、底板の開口を介して外部と連通していることを特徴とする請求項１，３，４，５，６，７，８，９，１０のいずれかに記載の強制循環用浴槽連結装置。
　請求項１２
　本体と底板が組合わさった状態では、仕切り部材の内部の仕切りには、それぞれ弁取り付け部及び開口が含まれ、弁取り付け部には、仕切り部材の中に入る水流を許し逆を阻止する導入弁が設けられ、前記開口には仕切り部材の中から外へ流れる水流を許し逆を阻止する吐出弁が設けられていることを特徴とする請求項１１に記載の強制循環用浴槽連結装置。
　請求項１３
　フィルター部材は碗状をしていて側面に吐出口が設けられ、当該吐出口の位置は、仕切り部材の吐出弁が取り付けられる開口の位置と一致することを特徴とする請求項１，３，４，５，６，７，８，９，１０，１１，１２のいずれかに記載の強制循環用浴槽連結装置。
　請求項１４
　浴槽に取り付けられる嵌合部材を有し、仕切り部材は当該嵌合部材に取り付けられ、嵌合部材には雌ねじが設けられた突起が設けられ、仕切り部材には凹部及び孔が設けられ、仕切り部材は、凹部の孔にネジを挿通しこのネジを嵌合部材の突起に設けられたネジ孔に嵌合させて結合され、さらに仕切り部材の凹部と嵌合部材の突起との組み合わせが選択可能であることを特徴とする請求項１，３，４，５，６，７，８，９，１０，１１，１２，１３のいずれかに記載の強制循環用浴槽連結装置。
　請求項１５
　雌ねじが設けられた外嵌合部材と、前記外嵌合部材の雌ねじと嵌合する雄ねじが設けられ、浴槽に取り付けられる内嵌合部材を有することを特徴とする請求項１４に記載の強制循環用浴槽連結装置。」
　
（２）これに対して、甲第１号証（実公平３−３４６０７号公報）には、「浴槽に取り付けられ強制循環式熱源機と循環配管を介して接続される接続金具内を区画して吸水室と吐水室とを形成し、吐水室からの吐出口を浴槽内に下向きに開口したものにおいて、上記吸水室から接続金具の両循環接続部に至る各連通部並びに両循環接続部から前記吐水室に至る各連通部に夫々逆止弁を介設したことを特徴とする強制循環用浴槽連結装置」が、第１、２図とともに記載されている。
　しかしながら、甲第１号証には、本件請求項１に係る発明の主要な構成である「フィルターの他の部位に比べて流速が早いことが予想される弁取り付け部に面した部位が封鎖されていること」については記載がない。また、この構成は、異議申立人が提出したその他の甲号各証にも、記載も示唆もない。
　本件請求項１に係る発明は、この構成と請求項中の他の構成が相俟って明細書の「発明の効果」の項に記載された各効果を奏するものと認められる。
  そうすると、本件請求項１に係る発明が、異議申立人の提出した甲号各証に記載された発明に基づいて当業者が容易に発明をすることができたものとすることはできない。
　
（３）次に、本件請求項２に係る発明について検討すると、甲第１号証には、その明細書及び図面からみて、「一つ吐出口を有し、内部には流路が形成され、その流路は二つの接続部と一つの吐出口を連通し、それぞれの接続部からの入水を一つの吐出口に導く二つの吐出弁と、吸い込み口からの入水を二つの接続部のいずれからでも吸引可能に導く導入弁を組み合わせた強制循環用浴槽連結装置」については記載されていると認められるものの、本件請求項２に係る発明の「二つの吐出口を有し、内部には独立した二つの流路が形成され、一つの流路は一方の接続部から一つの吐出口に連通し、他方の流路は他方の接続部からもう一つの吐出口に連通し、さらに一方の接続部からの入水を一つの吐出口に導く吐出弁と、他方の接続部からの入水をもう一つの吐出口に導く吐出弁と、吸い込み口からの入水を二つの接続部のいずれからでも吸引可能に導く導入弁の組み合わせを内蔵」した構成に関しては何ら記載がない。
　また、甲第２号証（実願平３−７５１９７号（実開平５−１９８５９号）のＣＤ−ＲＯＭ）及び甲第５号証（特開平８−１４６６７号公報）には、それぞれ２つの吐出口を設けた強制循環用浴槽連結装置が記載されているものの、２つの吐出口、流路及び吐出弁の各構成を、本件発明２のように、「二つの吐出口を有し、内部には独立した二つの流路が形成され、一つの流路は一方の接続部から一つの吐出口に連通し、他方の流路は他方の接続部からもう一つの吐出口に連通し、さらに一方の接続部からの入水を一つの吐出口に導く吐出弁と、他方の接続部からの入水をもう一つの吐出口に導く吐出弁と、吸い込み口からの入水を二つの接続部のいずれからでも吸引可能に導く導入弁の組み合わせを内蔵」するように関連づけることについては何ら記載がなく、また、この点の構成は、異議申立人が提出したその他の甲号各証にも、記載も示唆もない。
  よって、本件請求項２に係る発明が、異議申立人の提出した甲号各証に記載された発明に基づいて当業者が容易に発明をすることができたものとすることはできない。
　また、本件請求項３に係る発明及び本件請求項４に係る発明は、本件請求項２に係る発明及び本件請求項３に係る発明の構成をさらに限定したものであるから、本件請求項３に係る発明及び本件請求項４に係る発明についても、異議申立人の提出した甲号各証に記載された発明に基づいて当業者が容易に発明をすることができたものとすることはできない。
　
（４）甲第１号証には、本件請求項５に係る発明の主要な構成である「フィルター部材の前記２つの導入弁に面した部分は封鎖されていること」については記載がない。また、この構成は、異議申立人が提出したその他の甲号各証にも、記載も示唆もない。
　本件請求項５に係る発明は、この構成と請求項に記載された他の構成が相俟って明細書の「発明の効果」の項に記載された各効果を奏するものと認められる。
  そうすると、本件請求項５に係る発明が、異議申立人の提出した甲号各証に記載された発明に基づいて、当業者が容易に発明をすることができたものとすることはできない。
　
（５）本件請求項６及び７は、特許異議の申立てがされていない請求項であるが、これらについても、本件請求項６に係る発明の主要な構成である「フィルター部材が仕切り部材に取り付けられた状態の時には、前記仕切り部材の空気抜き用の小孔とフィルター部材の空気抜き用の小孔は孔位置が不一致であること」、本件請求項７に係る発明の主要な構成である「導入弁は中央部に軸が設けられた可撓性物であり、導入弁は前記開口の仕切り部材側にあって軸は仕切り部材のフィルター部材側の壁に挿通されて支持され、さらに導入弁の軸裏側は、突起によって支持されていること」が、異議申立人の提出した甲号各証には記載も示唆もされていないから、本件請求項６，７に係る発明が、異議申立人の提出した甲号各証に記載された発明に基づいて、当業者が容易に発明をすることができたものとすることはできない。
　
（６）本件請求項８に係る発明ないし本件請求項１５に係る発明は、本件請求項１に係る発明ないし本件請求項７に係る発明の構成をさらに限定したものであるから、本件請求項８に係る発明ないし本件請求項１５に係る発明についても、異議申立人の提出した甲号各証に記載された発明に基づいて、当業者が容易に発明をすることができたものとすることはできない。
　
（７）したがって、その余について検討するまでもなく、本件本件請求項１ないし５、請求項８ないし１５に係る発明が特許法第２９条第２項の規定に違反するものとは認められない。
　
〔４〕まとめ
　以上によれば、特許異議申立人の主張する申立ての理由及び提出した証拠方法によっては、本件各特許を取り消すことはできない。
　また、ほかに本件各特許を取り消すべき理由を発見しない。
　よって、結論のとおり決定する。
【異議決定日】
平成１４年９月３０日（２００２．９．３０）
【訂正の要旨】
（ア）訂正事項１
　特許請求の範囲の請求項１中、
「二つの接続部のいずれからでも吸引可能に導く弁」を「二つの接続部のいずれからでも吸引可能に導く導入弁」と、「上記吸い込み口からの入水を二つの接続部に導入可能に設けられた二つの弁」を「上記吸い込み口からの入水を二つの接続部に導入可能に設けられた二つの導入弁」と、「二つの接続部のいずれからの入水をも吐出口に導く二つの弁」を「二つの接続部のいずれからの入水をも吐出口に導く二つの吐出弁」と、「前記フィルターの他の部位に比べて流速が早いことが予想される部位が封鎖されている」を「前記フィルターの他の部位に比べて流速が早いことが予想される弁取り付け部に面した部位が封鎖されている」と訂正するとともに、「仕切り部材は底板と本体から構成され、仕切り部材に」の直後に「二つの弁取り付け部があり、」との記載を挿入。
（イ）訂正事項２
　特許請求の範囲の請求項２中、
「二つの接続部のいずれからでも吸引可能に導く弁」（２箇所）を「二つの接続部のいずれからでも吸引可能に導く導入弁」と、「一方の接続部からの入水を一つの吐出口に導く弁」を「一方の接続部からの入水を一つの吐出口に導く吐出弁」と、「他方の接続部からの入水をもう一つの吐出口に導く弁」を「他方の接続部からの入水をもう一つの吐出口に導く吐出弁」と、「内蔵する」を「内蔵し、接続部のいずれから入る湯も導入弁によって吸い込み口に流れることは阻止され、吐出口からの入湯は、吐出弁によって流れが阻止される」と訂正。
（ウ）訂正事項３
　特許請求の範囲の請求項４中、
「フィルター部材を有し、」の直後に、「仕切り部材に二つの弁取り付け部があり、」との記載を挿入するとともに、「前記フィルターの他の部位に比べて流速が早いことが予想される部位が封鎖されている」を「前記フィルターの他の部位に比べて流速が早いことが予想される弁取り付け部に面した部位が封鎖されている」と訂正。
（エ）訂正事項４
　特許請求の範囲の請求項５、６及び７を削除。
（オ）訂正事項５
　訂正前の請求項８を請求項５に繰り上げるとともに、同項中、「二つの接続部のいずれからでも吸引可能に導く弁の組み合わせ」を「二つの接続部のいずれからでも吸引可能に導く導入弁の組み合わせ」と、「二つの接続部に導入可能に設けられた二つの弁」を「二つの接続部に導入可能に設けられた二つの導入弁」と、「フィルター部材は」の直前の「を備え、」を「及び二つの接続部のいずれからの入水をも吐出口に導く二つの吐出弁が取り付けられ、」と、「フィルター部材の前記弁に面した部分」を「フィルター部材の前記二つの導入弁に面した部分」と訂正。
（カ）訂正事項６
　訂正前の請求項９を請求項６に繰り上げるとともに、同項中、「二つの接続部のいずれからでも吸引可能に導く弁」を「二つの接続部のいずれからでも吸引可能に導く導入弁」と、「吸い込み口からの入水を二つの接続部に導入可能に設けられた二つの弁」を「吸い込み口からの入水を二つの接続部に導入可能に設けられた二つの導入弁」と訂正。
（キ）訂正事項７
　訂正前の請求項１０を請求項７に繰り上げるとともに、同項中の「弁」（５箇所）を「導入弁」と訂正。
（ク）訂正事項８
　訂正前の請求項１１を請求項８に繰り上げるとともに、同項中の「弁」を「吐出弁」と、「請求項１，３，４，５，６，７，８，９，１０のいずれか」を「請求項１，３，４，５，６，７のいずれか」と訂正。
（ケ）訂正事項９
　訂正前の請求項１２を請求項９に繰り上げるとともに、同項中の「弁」（２箇所）を「吐出弁」と、「請求項１１に記載の」を「請求項８に記載の」と訂正。
（コ）訂正事項１０
　訂正前の請求項１３を請求項１０に繰り上げるとともに、同項中の「弁」を「吐出弁」と、「請求項１２に記載の」を「請求項９に記載の」と訂正。
（サ）訂正事項１１
　訂正前の請求項１４を請求項１１に繰り上げるとともに、同項中の「請求項１，３，４，５，６，７，８，９，１０，１１，１２，１３のいずれか」を「請求項１，３，４，５，６，７のいずれか」と訂正。
（シ）訂正事項１２
　訂正前の請求項１５を請求項１２に繰り上げるとともに、同項中の「請求項１４に記載の」を「請求項１１に記載の」と訂正。
（ス）訂正事項１３
　訂正前の請求項１６を請求項１３に繰り上げるとともに、同項中の「弁」を「吐出弁」と、「請求項１，３，４，５，６，７，８，９，１０，１１，１２，１３、１４，１５のいずれか」を「請求項１，３，４，５，６，７、８，９，１０，１１，１２のいずれか」訂正。
（セ）訂正事項１４
　訂正前の請求項１７を請求項１４に繰り上げるとともに、同項中の「請求項１，３，４，５，６，７，８，９，１０，１１，１２，１３，１４，１５，１６のいずれか」を「請求項１，３，４，５，６，７，８，９，１０，１１，１２，１３のいずれか」と訂正。
（ソ）訂正事項１５
　訂正前の請求項１８を請求項１５に繰り上げるとともに、同項中の「請求項１７に記載の」を「請求項１４に記載の」と訂正。
（タ）訂正事項１６
　発明の詳細な説明の段落【００２１】中、
「二つの接続部のいずれからでも吸引可能に導く弁」（６箇所）を「二つの接続部のいずれからでも吸引可能に導く導入弁」と、「導入可能に設けられた二つの弁」（２箇所）を「導入可能に設けられた二つの導入弁」と、「吐出口に導く二つの弁」を「吐出口に導く二つの吐出弁」と、「流速が早いことが予想される部位」（２箇所）を「流速が早いことが予想される弁取り付け部に面した部位」と、「一方の接続部からの入水を一つの吐出口に導く弁」を「一方の接続部からの入水を一つの吐出口に導く吐出弁」と、「他方の接続部からの入水をもう一つの吐出口に導く弁」を「他方の接続部からの入水をもう一つの吐出口に導く吐出弁」と、「内蔵する」を「内蔵し、接続部のいずれから入る湯も導入弁によって吸い込み口に流れることは阻止され、吐出口からの入湯は、吐出弁によって流れが阻止される」と、「請求項８」を「請求項５」と、「吸い込み口からの入水を二つの接続部に導入可能に設けられた二つの弁」を「吸い込み口からの入水を二つの接続部に導入可能に設けられた二つの導入弁」と、「を備え、」を「及び二つの接続部のいずれからの入水をも吐出口に導く二つの吐出弁が取り付けられ、」と、「フィルター部材の前記弁に面した部分」を「フィルター部材の前記二つの導入弁に面した部分」と、「請求項９」を「請求項６」と、「請求項１０」を「請求項７」と、「導入可能な弁」を「導入可能な導入弁」と、「該弁」を「該導入弁」と、「であり、弁は」を「であり、導入弁」と、「さらに弁」を「さらに導入弁」と、「請求項１１」を「請求項８」と、「設けられ、弁」を「設けられ、吐出弁」と、「請求項１，３，４，５，６，７，８，９，１０」を「請求項１，３，４，５，６，７」と、「請求項１２」を「請求項９」と、「弁はスイング形であり」を「吐出弁はスイング形であり」と、「当接部材によって弁」を「当接部材によって吐出弁」と、「請求項１１」を「請求項８」と、「請求項１３」を「請求項１０」と、「弁の可動部は」を「吐出弁の可動部は」と、「請求項１２」を「請求項９」と、「請求項１４」を「請求項１１」と、「請求項１，３，４，５，６，７，８，９，１０，１１，１２，１３」を「請求項１，３，４，５，６，７，８，９，１０」と、「請求項１５」を「請求項１２」と、「請求項１４」を「請求項１１」と、「請求項１６」を「請求項１３」と、「仕切り部材の弁」を「仕切り部材の吐出弁」と、「請求項１，３，４，５，６，７，８，９，１０，１１，１２，１３，１４，１５」を「請求項１，３，４，５，６，７，８，９，１０，１１，１２」と、「請求項１７」を「請求項１４」と、「請求項１，３，４，５，６，７，８，９，１０，１１，１２，１３，１４，１５，１６」を「請求項１，３，４，５，６，７，８，９，１０，１１，１２，１３」と、「請求項１８」を「請求項１５」と、「請求項１７」を「請求項１４」と訂正し、「仕切り部材に」の直後に「二つの弁取り付け部があり、」という記載を、「フィルター部材を有し、」の直後に「仕切り部材に二つの弁取り付け部があり、」という記載を挿入し、「請求項５に記載の発明は・・・連結装置である。」を削除。
（チ）訂正事項１７
　図面の簡単な説明の符号の説明中、
１）「１６，１８　吐出弁」の次行に「２０　外嵌合部材」、その次の行に「２１　内嵌合部材」、その次の行に「２２　仕切り部材」、その次の行に「２３　フィルター部材」、その次の行に「３２　円筒状突起」、その次の行に「３３　雌ねじ」を挿入。
２）「３６　本体」の次行に「３８　管状部」、その次の行に「４０　フランジ部」、その次の行に「４３　凹部」、その次の行に「４５　貫通孔」を挿入。
３）「５３　軸挿通孔」の次行に「５６　孔」を挿入。
４）「８８　導入部」の次行に「９０　突起」、その次の行に「９１　突起」、その次の行に「９５　外装部材」、その次の行に「９６　内装部材」を挿入。
５）「１３３，１３５　吐出弁」の次行に「１４５　突起」を挿入。
６）「１５３　樹脂の板」の次行に「１５５　吐出弁」、その次の行に「１５６　当接部材」を挿入。
７）「１６２　吐出弁」の次行に「２０３　往き配管」、その次の行に「２０５　戻り配管」を挿入。
ツ）訂正事項１８　図面について、１）図１７（ａ）内の符号２０を２２と訂正。
２）図２５（ａ）内の符号５０を５８と訂正。
３）その他、図１（ａ）（ｂ）、図３、図４、図５、図９（ａ）（ｂ）、図１０（ａ）（ｂ）、図１１、図１３（ａ）（ｂ）（ｃ）、図１５、図１６、図１７（ａ）、図１８、図２０、図２２、図２３、図２５（ａ）（ｂ）、図２６（ａ）（ｂ）、図２７、図３０、図３４、図３６中に符号を追加。
（５４）【発明の名称】
強制循環用浴槽連結装置
（５７）【特許請求の範囲】
　【請求項１】　強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く
導入
二つの弁取り付け部があり、
導入
吐出
弁取り付け部に面した
　【請求項２】　強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く
導入
吐出
吐出
導入
し、接続部のいずれから入る湯も導入弁によって吸い込み口に流れることは阻止され、吐出口からの入湯は、吐出弁によって流れが阻止される
　【請求項３】　接続部と吐出口及び吸い込み口とを繋ぐ仕切り部材と、フィルター部材を有することを特徴とする請求項２に記載の強制循環用浴槽連結装置。
　【請求項４】　フィルター部材を有し、
仕切り部材に二つの弁取り付け部があり、
弁取り付け部に面した
　【請求項
５
導入
導入
及び二つの接続部のいずれからの入水をも吐出口に導く二つの吐出弁が取り付けられ、
二つの導入
　【請求項
６
導入
導入
　【請求項
７
導入
導入
導入
導入
導入
　【請求項
８
吐出
５，６，７
　【請求項
９
吐出
吐出
８
　【請求項
１０
吐出
９
　【請求項
１１
５，６，７，８，９，１０
　【請求項
１２
１１
　【請求項
１３
吐出
５，６，７，８，９，１０，１１，１２
　【請求項
１４
５，６，７，８，９，１０，１１，１２，１３
　【請求項
１５
１４
【発明の詳細な説明】
　【０００１】
　【発明の属する技術分野】
　本発明は、強制循環式熱源機と浴槽とを接続し、循環湯の吐出口及び吸い込み口として機能する強制循環用浴槽連結装置に関するものである。
　【０００２】
　【従来の技術】
　強制循環式の浴槽は、浴槽内の湯の表面側の温度と、底側の温度の差が少ないという特長や、熱交換器を浴槽と離れた位置に設置することができる利点があり、旧来の対流式に代わって広く普及している。
　強制循環式の浴槽の構造は、例えば図４２の様であり、ポンプ２００を備えた強制循環式熱源機２０１を有する。そして強制循環式熱源機２０１と浴槽２０２とは、往き配管２０３と戻り配管２０５及び強制循環用浴槽連結装置２０６によって接続されている。
　【０００３】
　すなわち浴槽２０２の側面に強制循環用浴槽連結装置２０６が取り付けられ、この先端側は浴槽２０２内に位置し、後端側は浴槽２０２の外に露出している。強制循環用浴槽連結装置２０６は、外部に露出した後端側に二つの接続口を持つ。また強制循環用浴槽連結装置２０６は、浴槽２０２内に配された先端側に吐出口と吸い込み口を持つ。そして前記した接続口の一方に強制循環式熱源機２０１の往き配管２０３が接続され、他方の接続口に戻り配管２０５が接続される。
　浴槽２０２内の湯は、強制循環用浴槽連結装置２０６の吸い込み口から吸い込まれて戻り配管２０５に入り、加熱されて往き配管２０３を流れ、接続口から強制循環用浴槽連結装置２０６の吐出口を経て浴槽２０２内に戻される。
　【０００４】
　図４３は、従来技術における強制循環用浴槽連結装置の正面図および底面図であり、図４４は、従来技術における強制循環用浴槽連結装置の断面図である。
　図４３，４４に示した強制循環用浴槽連結装置２０６は、無極性連結装置と称されるものであり、二つの接続部２１５、２１６を往き配管２０３又は戻り配管２０５のいずれに接続しても使用可能であり、浴槽２０２内の湯の攪拌が充分にできるものである。
　従来技術の強制循環用浴槽連結装置２０６を簡単に説明すると、次の通りである。
　【０００５】
　すなわち強制循環用浴槽連結装置２０６を外観すると、浴槽内に配される先端側２１０は、図４３の様に円盤状をしており、側面に二つの開口２１１，２１２を有する。また浴槽外に配される後端側２１３には二つの接続部２１５，２１６が設けられている。
　また強制循環用浴槽連結装置２０６の構成部材は、外嵌合部材２２０と、内嵌合部材２２１、仕切り部材２２２およびフィルター部材２２３である。
　そして内部では、二つの流路が形成されており、接続部２１５は、開口２１２に連通し、接続部２１６は、開口２１１に連通している。また開口２１１，２１２の双方にフィルターが設けられている。
　【０００６】
　従来技術の強制循環用浴槽連結装置２０６では、往き配管２０３又は戻り配管２０５のいずれか一方が接続部２１５に接続され、他方が接続部２１６に接続される。例えば往き配管２０３が接続部２１５に接続され、戻り配管２０５が接続部２１６に接続された場合を想定すると、開口２１１が吸い込み口として機能し、開口２１２が吐出口として機能する。すなわち浴槽２０２内の湯は、開口２１１から吸い込まれて接続部２１６を経て戻り配管２０５に入り、さらに往き配管２０３から接続部２１５に入って開口２１２から浴槽２０２内に吐出される。
　【０００７】
　また逆に往き配管２０３が接続部２１６に接続され、戻り配管２０５が接続部２１５に接続された場合を想定すると、開口２１２が吸い込み口として機能し、開口２１１が吐出口として機能し、浴槽２０２内の湯は、開口２１２から吸い込まれて接続部２１５を経て戻り配管２０５に入り、往き配管２０３から接続部２１６に入って開口２１１から浴槽２０２内に吐出される。
　【０００８】
　【発明が解決しようとする課題】
　従来技術の強制循環用浴槽連結装置２０６では、一つの開口が吸い込み口として機能する場合も吐出口として機能する場合もある。
　そこで従来技術の強制循環用浴槽連結装置２０６では、開口２１１，２１２の双方にフィルターが設けられており、いずれの開口が吸い込み口となっても浴槽２０２内に含まれるごみ等を除去できるようにしていた。
　【０００９】
　そのため従来技術の強制循環用浴槽連結装置２０６では、吸い込み口を通り抜けたごみ等が吐出口で止まることがあり、吸い込み口だけでなく、吐出口側のフィルターも定期的に清掃する必要があった。ところが吐出口は、強制循環用浴槽連結装置２０６の内側から外に向かって湯を吐出するものであるから、フィルターは内側から目詰まりしてしまう。そのため吐出口のフィルターを清掃するためには、フィルター部材自体を取り外さなければならない。その一方、フィルター部材は、しっかりと仕切り部材２２に取り付けられている必要があり、フィルター部材の取り外しは、使用者にとって必ずしも容易ではない。
　また前記した様に吐出口のフィルターは内側から目詰まりするので、目詰まりの状態は外部からは見えにくく、目詰まりしていても気づき難いという問題もある。
　そのため吐出口のフィルターは、清掃されずに放置されることが多く、目詰まりによって流路抵抗が増大し、不調を来す場合が多い。また前記した様に吐出口のフィルターの目詰まりは気づきにくく、流路抵抗の増大による不調は、使用者にとって原因不明である場合も多い。
　【００１０】
　また従来技術の強制循環用浴槽連結装置２０６は、フィルターの目詰まりが無い状態であっても、流路抵抗が高いという欠点がある。
　すなわち従来技術の強制循環用浴槽連結装置２０６は、一つの開口が吐出口として機能する場合もあり、吸い込み口として機能する場合もある。ここで強制循環用浴槽連結装置２０６の重要な機能の一つに、湯を勢い良く吐出して浴槽２０２内を攪拌する作用がある。そしてこの機能を効率よく達成させるためには、吐出口の開口面積は小さい方が望ましい。そのため従来技術の強制循環用浴槽連結装置２０６では、開口の大きさは制限を受け、あまり大きなものとすることはできない。その結果吸い込み口として機能する側の開口面積が過少となり、全体の流路抵抗が高いものとなってしまう。
　加えて強制循環用浴槽連結装置２０６は、浴槽内では突起物であって邪魔であるため、全体形状はできるだけ小さいことが望ましい。そのため内部の流路は複雑となり、流路抵抗を増大させる一因となっている。
　【００１１】
　そこで本発明は、従来技術の上記した問題点に注目し、流路抵抗に起因する不調が少ない強制循環用浴槽連結装置を提供することを課題とする。また本発明の具体的な解決課題の一つは、吐出口が詰まることがない強制循環用浴槽連結装置を提供することにある。
　【００１２】
　【課題を解決するための手段】
　そして上記した目的を達成するための発明は、強制循環式熱源機の往き配管又は戻り配管と連結される二つの接続部と、浴槽内に湯を吐出する吐出口と、浴槽内の湯を吸い込む吸い込み口を有し、強制循環式熱源機と浴槽とを接続する強制循環用浴槽連結装置において、二つの接続部のいずれからの入水も吐出口に導く弁と、吸い込み口からの入水を二つの接続部のいずれからでも吸引可能に導く弁の組み合わせを内蔵し、吸い込み口と吐出口の内、吸い込み口だけにフィルターを備えたことを特徴とする強制循環用浴槽連結装置である。
　【００１３】
　本構成の強制循環用浴槽連結装置は、弁の組み合わせが内蔵されており、吐出口と吸い込み口は浴槽に取り付ける以前から確定している。そのため吐出口と吸い込み口の開口面積は、その機能に応じて任意に設計することができ、吐出口による攪拌機能と、流路抵抗の低下を両立させることができる。
　また本構成の強制循環用浴槽連結装置では、吸い込み口だけにフィルターが設けられており、吐出口側には無い。そのため吐出口が詰まることは無い。
　【００１４】
　また同様の目的を達成するための構成は、強制循環式熱源機の往き配管又は戻り配管と連結される二つの接続部と、浴槽内に湯を吐出する吐出口と、浴槽内の湯を吸い込む吸い込み口を有し、強制循環式熱源機と浴槽とを接続する強制循環用浴槽連結装置において、二つの吐出口を有し、一方の接続部からの入水を一つの吐出口に導く弁と、他方の接続部からの入水をもう一つの吐出口に導く弁と、吸い込み口からの入水を二つの接続部のいずれからでも吸引可能に導く弁の組み合わせを内蔵することを特徴とする強制循環用浴槽連結装置である。
　【００１５】
　本構成の強制循環用浴槽連結装置も前記した発明と同様に弁の組み合わせが内蔵されていて、吐出口と吸い込み口は浴槽に取り付ける以前から確定しているので、吐出口と吸い込み口の開口面積は、その機能に応じて任意に設計することができる。また加えて本発明の強制循環用浴槽連結装置では、二つの接続部に対応して二つの吐出口を有するため、強制循環用浴槽連結装置内部の流路は曲部が少ない。そのため本発明の強制循環用浴槽連結装置は、流路変更による圧力損失が少なく、流路抵抗が低い。
　【００１６】
　上記した二つの構成の実施形態として構成は、二つの接続部と連通し、接続部と吐出口及び吸い込み口とを繋ぐ仕切り部材とフィルター部材を有し、仕切り部材には吸い込み口からの入水を二つの接続部に導入可能に設けられた二つの弁を備え、フィルター部材は、仕切り部材に取り付けられていて、仕切り部材とフィルターとの間には、吸い込み室となる空間が形成され、該空間に面した部分にフィルターが装着され、フィルター部材の前記弁に面した部分は封鎖されていることを特徴とする強制循環用浴槽連結装置である。
　【００１７】
　本構成の強制循環用浴槽連結装置は、使用時の見栄えを向上させることを目的としたものである。
　すなわち吐出口と吸い込み口を確定させるために、弁を内蔵した構成とすると、弁はどうしてもフィルターに近接した位置となってしまう。そのためフィルターの表面の弁に面した部分は、他の部分に比べて著しく流速が早く、当該部分にゴミが集中的に溜まる。その結果、強制循環用浴槽連結装置の見栄えが悪くなってしまうという問題があった。
　これに対して本構成は、フィルター部材の弁に面した部分は封鎖されており、当該部分にゴミが集中することは無い。またフィルター部材の弁に面した部分を封鎖することにより、フィルター表面の流速が均質化し、ゴミはフィルター表面に均等に溜まる。
　【００１８】
　またさらに上記した構成の実施形態としての構成は、二つの接続部と連通し、接続部と吐出口及び吸い込み口とを繋ぐ仕切り部材と該仕切り部材に取り付られるフィルター部材を有し、仕切り部材の正面には吸い込み口からの入水を二つの接続部に導入可能に設けられた二つの弁を備え、仕切り部材の側面には吐出口に連通する開口と空気抜き用の小孔を備え、フィルター部材の正面には吸い込み口となるフィルターを備えた開口を有し、側面には吐出口となるフィルターの無い開口と空気抜き用の小孔を有し、フィルター部材が仕切り部材に取り付けられた状態の時には、前記仕切り部材の空気抜き用の小孔とフィルター部材の空気抜き用の小孔は孔位置が不一致であることを特徴とする強制循環用浴槽連結装置である。
　【００１９】
　本構成は、強制循環用浴槽連結装置の空気抜きの効率を向上させることを目的としたものである。
　すなわち強制循環用浴槽連結装置は、配管内に溜まった空気を排出するために、空気抜き用の小孔を設ける必要がある。ところが、しばしばこの空気抜き用の小孔から、循環湯が吐出されてしまうことがあり、正規の吐出口からの湯の吐出量が減少して浴槽の攪拌効率が低下してしまう結果となる。
　これに対して本構成は、フィルター部材が仕切り部材に取り付けられた状態の時に、仕切り部材の空気抜き用の小孔とフィルター部材の空気抜き用の小孔は孔位置が不一致となるので、空気抜き用の流路は、流路抵抗が高い。そのため当該空気抜き用の小孔からは、空気だけが排出され、湯が漏れることは非常に少ない。
　【００２０】
　またさらに上記した構成の実施形態としての強制循環用浴槽連結装置は、二つの接続部と連通し、接続部と吐出口及び吸い込み口とを繋ぐ仕切り部材とフィルター部材を有し、フィルター部材は、仕切り部材に取り付けられていて、仕切り部材とフィルター部材との間には、吸い込み室となる空間が形成され、前記仕切り部材には吸い込み室となる空間から接続部に水を導入可能な弁を付設した開口が設けられ、該弁は中央部に軸が設けられた可撓性物であり、弁は前記開口の仕切り部材側にあって軸は仕切り部材のフィルター部材側の壁に挿通されて支持され、さらに弁の軸裏側は、突起によって支持されていることを特徴とする強制循環用浴槽連結装置である。
　【００２１】
　本発明の強制循環用浴槽連結装置では、可撓性物を弁として採用している。そのため弁の形状が小さく、強制循環用浴槽連結装置を小型化することができる。また弁の軸は、仕切り部材のフィルター部材側の壁に挿通されて支持されているので、可撓性の部位は開口に密着し、動作が確実である。さらに本発明では、弁の軸裏側は、突起によって支持されているので、水流を受けて弁の軸が延びたりすることもない。そのためシート状の部位はいつまでも開口に密着した状態を維持し、経年変化が少なく初期の性能を発揮する。
　すなわち請求項１に記載の発明は、強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く
導入
二つの弁取り付け部があり、
導入
吐出
弁取り付け部に面した
　また請求項２に記載の発明は、強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く
導入
吐出
吐出
導入
し、接続部のいずれから入る湯も導入弁によって吸い込み口に流れることは阻止され、吐出口からの入湯は、吐出弁によって流れが阻止される
　請求項３に記載の発明は、接続部と吐出口及び吸い込み口とを繋ぐ仕切り部材と、フィルター部材を有することを特徴とする請求項２に記載の強制循環用浴槽連結装置である。
　請求項４に記載の発明は、フィルター部材を有し、
仕切り部材に二つの弁取り付け部があり、
弁取り付け部に面した
　請求項５に記載の発明は、強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く
導入
導入
及び二つの接続部のいずれからの入水をも吐出口に導く二つの吐出弁が取り付けられ、
二つの導入
　請求項６に記載の発明は、強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く
導入
導入
　請求項７に記載の発明は、強制循環式熱源機の往き配管又は戻り配管と連結される二つの接続部と、浴槽内に湯を吐出する吐出口と、浴槽内の湯を吸い込む吸い込み口を有し、二つの接続部のいずれからでも吸引可能に導く
導入
導入
導入
導入
導入
　請求項８に記載の発明は、仕切り部材の本体は円盤形状であり、本体の周壁に開口が設けられ、
吐出
５，６，７
　請求項９に記載の発明は、
吐出
吐出
８
　請求項１０に記載の発明は、
吐出
９
　請求項１１に記載の発明は、仕切り部材は底板と本体を有し、前記底板はフランジ部と、フランジ部から突き出した管状部を有し、前記フランジ部には貫通孔が設けられ、本体と底板が組合わさった状態では、仕切り部材の内部は、流路形成壁によって、二つの空間に仕切られ、一方の仕切り内には、底板の管状部が開口し、この仕切り内の空間は、当該管状部を介して外部と連通し、他方の仕切りは、底板の開口を介して外部と連通していることを特徴とする請求項１，３，４，
５，６，７，８，９，１０
　請求項１２に記載の発明は、本体と底板が組合わさった状態では、仕切り部材の内部の仕切りには、それぞれ弁取り付け部及び開口が含まれ、弁取り付け部には、仕切り部材の中に入る水流を許し逆を阻止する導入弁が設けられ、前記開口には仕切り部材の中から外へ流れる水流を許し逆を阻止する吐出弁が設けられていることを特徴とする請求項
１１
　請求項１３に記載の発明は、フィルター部材は碗状をしていて側面に吐出口が設けられ、当該吐出口の位置は、仕切り部材の
吐出
５，６，７，８，９，１０，１１，１２
　請求項１４に記載の発明は、浴槽に取り付けられる嵌合部材を有し、仕切り部材は当該嵌合部材に取り付けられ、嵌合部材には雌ねじが設けられた突起が設けられ、仕切り部材には凹部及び孔が設けられ、仕切り部材は、凹部の孔にネジを挿通しこのネジを嵌合部材の突起に設けられたネジ孔に嵌合させて結合され、さらに仕切り部材の凹部と嵌合部材の突起との組み合わせが選択可能であることを特徴とする請求項１，３，４，
５，６，７，８，９，１０，１１，１２，１３
　請求項１５に記載の発明は、雌ねじが設けられた外嵌合部材と、前記外嵌合部材の雌ねじと嵌合する雄ねじが設けられ、浴槽に取り付けられる内嵌合部材を有することを特徴とする請求項
１４
　【００２２】
　【発明の実施の形態】
　以下さらに本発明の具体的実施例について説明する。
　図１は、本発明の実施形態における強制循環用浴槽連結装置を示し、（ａ）は正面図、（ｂ）は底面図である。図２は図１の強制循環用浴槽連結装置に内蔵される弁の組み合わせの回路図である。図３は、図１の強制循環用浴槽連結装置の断面図である。図４は、図１の強制循環用浴槽連結装置の分解斜視図である。図５は、図１の強制循環用浴槽連結装置の内嵌合部材の斜視図である。図６は、図１の強制循環用浴槽連結装置の仕切り部材の本体を示し、（ａ）は正面図、（ｂ）は側面断面図、（ｃ）は背面図、（ｄ）は開口部分の斜視図、（ｅ）は開口部分の詳細断面図、（ｆ）はＢ方向矢視図である。図７（ａ）は、図１の強制循環用浴槽連結装置の導入弁の断面図であり、（ｂ）（ｃ）は、導入弁の取り付け手順を示す断面図であり、（ｄ）は、他の実施形態における導入弁の取り付け手順を示す断面図である。図８は、図７の導入弁の斜視図であり、（ａ）は上方向から、（ｂ）は下方向から見た状態を表す。図９（ａ）（ｂ）は、図７の導入弁の取り付け状態を示す説明図である。図１０は、図１の強制循環用浴槽連結装置の吐出弁を示し、（ａ）は正面図、（ｂ）は側面図である。図１１は、図１の強制循環用浴槽連結装置の吐出弁の斜視図である。図１２は、図１１の吐出弁の取り付け状態を示す拡大断面図である。図１３は、図１の強制循環用浴槽連結装置のフィルター部材の外装部材を示し、（ａ）は正面図、（ｂ）は平面図、（ｃ）は底面図、（ｄ）は背面図である。図１４は、図１の強制循環用浴槽連結装置の組み立て状態を説明する説明図である。図１５は、図１の強制循環用浴槽連結装置の空気抜き用の小孔の位置関係を説明する平面図である。図１６は、図１の強制循環用浴槽連結装置の空気抜き用の作用を説明する強制循環用浴槽連結装置の斜視図である。図１７は、図１の強制循環用浴槽連結装置の組み立て状態を説明する図面であり、（ａ）は仕切り部材の斜視図であり、（ｂ）は仕切り部材とフィルター部材の組み立て関係を示す断面図である。図１８は、図１の強制循環用浴槽連結装置の内部および内部での湯の流れを模式的に説明した説明図である。図１９は、強制循環用浴槽連結装置の仕切り部材内での湯の流れを模式的に説明した斜視図である。図２０は、図１の強制循環用浴槽連結装置の内部および内部での湯の流れを模式的に説明した説明図である。図２１は、強制循環用浴槽連結装置の仕切り部材内での湯の流れを模式的に説明した斜視図である。図２２は、強制循環用浴槽連結装置の吸い込み口周辺での湯の流れを模式的に説明したフィルター部材の正面図でる。図２３は、強制循環用浴槽連結装置の吸い込み口周辺と、仕切り部材内での湯の流れを模式的に説明したフィルター部材と仕切り部材の断面図である。図２４は、変形実施例の強制循環用浴槽連結装置のフィルター部材の正面図である。図２５は、図１の強制循環用浴槽連結装置の吐出口から湯が排出される際における吐出弁の挙動を示す要部の正面断面図（ａ）および（ａ）のＡ−Ａ断面図である。図２６は、変形実施例の強制循環用浴槽連結装置の吐出口から湯が排出される際における吐出弁の挙動を示す要部の正面断面図（ａ）および（ａ）のＡ−Ａ断面図である。
　【００２３】
　各図において、１は、本発明の実施形態の強制循環用浴槽連結装置を示す。本実施形態の強制循環用浴槽連結装置１の外観形状は、大きく分けて浴槽内に配される先端側２と、浴槽外に配される後端側３からなるものである。
　そして先端側２の部分は図１の様に円盤状をしており、正面側の部分が吸い込み口５として機能する。また先端側２の底面には、吐出口として機能する二つの開口６，７が設けられている。接続部１０，１１は、本実施形態では、金属管が突き出たものであり、その先端には、ロウ付け接合の管端または公知のユニオン継手の一方１２が取り付けられている。
　【００２４】
　そして本実施形態の強制循環用浴槽連結装置１では、内部に２つの導入弁１５，１７と、二つの吐出弁１６，１８が内蔵されている。導入弁及び吐出弁１５，１６，１７，１８の組み合わせ関係は、図２の通りであり、接続部１０，１１のいずれから入る湯も吐出弁１６または１８によって吐出口６または７に導通可能であり、一方、接続部１０，１１のいずれから入る湯も導入弁１５，１７によって吸い込み口５に流れることは阻止される。
　また吸い込み口５から入った湯は、導入弁１５，１７を介して接続部１０，１１の双方に導通可能であり、吐出口からの入湯は、吐出弁１６，１８によって流れが阻止され、接続部１０，１１のいずれにも流れない。
　【００２５】
　次に強制循環用浴槽連結装置１の具体的な構造を説明する。強制循環用浴槽連結装置１は、図３及び図４の様に、外嵌合部材２０、内嵌合部材２１、仕切り部材２２及びフィルター部材２３によって構成されている。また図において、４６，４９は、浴槽からの水漏れを防止するために設けられたパッキンである。
　【００２６】
　ここで外嵌合部材２０は、銅合金、鋳物、ステンレススチール等の錆に強い金属を素材として作られたものであり、有底の本体部２５を有し、この本体部２５の開口端にフランジ２６が形成されたものである。
　また本体部２５の内周には、雌ねじが設けられている（図示せず）。本体部２５の底部からは、接続部１０，１１が突出している。この接続部１０，１１の内、一方の接続部１１は、本体部２５の中心にあり、本体部２５の内部中心に設けられた管２７に連続している。
　またもう一方の接続部１０は、底部の脇の部分に設けられており、本体部２５の内側に開口している。
　【００２７】
　内嵌合部材２１は、樹脂によって作られ、図４及び図５の様にフランジ部２８と雄ねじ部２９が連続したものであり、中心部に貫通孔３０が設けられている。またフランジ部２８の表面側、すなわち雄ねじ部２９の反対側に位置する部位には、８つの円筒状突起３２が均等に設けられている。そして円筒状突起３２には、いずれも雌ねじ３３が形成されている。
　【００２８】
　仕切り部材２２は、図４の様に、底板３５，本体３６，パッキン３７、導入弁１５，１７及び吐出弁１６，１８によって構成されている。
　順次説明すると、底板３５は、樹脂によって作られたものであり、管状部３８とフランジ部４０が一体的に設けられたものである。すなわち管状部３８は、フランジ部４０の中央から一方に突き出し、フランジ部４０の前面と裏面とを貫通している。またフランジ部４０は、周辺に厚肉部４１が設けられ、他の部位の厚さは比較的薄い。そして当該肉の薄い部位に、８つの凹部４３が等間隔に配されている。この凹部４３は、管状部３８が設けられた方向から見て凹んでいる。凹部４３の内、３つの凹部４３は、中央に貫通孔があり、他の凹部４３は、未貫通である。貫通した凹部４３と、未貫通の凹部４３との配置は、特定の貫通凹部４３の両隣に２つづつの未貫通の凹部４３があり、さらにその隣にそれぞれ貫通凹部４３がある状態となっている。従って貫通凹部４３の配置は均等ではない。
　またフランジ部４０の管状部３８近傍には、図４の様に貫通孔４５が設けられている。
　その他、底板３５には、後記する弁取り付け部５０，５１に相当する部位に突起９０，９１（図９参照）が設けられている。
　【００２９】
　仕切り部材２２の本体３６は、図４及び図６の様な全体が凹状の円盤形状をした部材である。本体３６は、一方に仕切り壁４７が設けられていて有底であり、他方は開放されている。言い換えれば本体３６は、円形の仕切り壁４７を持ち、その仕切り壁４７の周囲に周壁４８が設けられたものである。
　【００３０】
　そして仕切り壁４７の部位には、二つの弁取り付け部５０，５１が設けられている。弁取り付け部５１は、仕切り壁４７の中央にあり、もう一つの弁取り付け部５０は、やや中心を外れた位置に設けられている。弁取り付け部５０，５１の形状は、中心に軸挿通孔５３があり、その周囲に６つの開口５５が放射状に配されたものである。また、他に仕切り壁４７には、３つの孔５６と、２つの孔５７が設けられている。この内、前者の孔５６は、本体３６と前記した底板３５及び内嵌合部材２１を一体的に結合するための孔であり、孔５６の間隔は、前記した底板３５の貫通凹部４３の間隔に等しい。
　【００３１】
　次に本体３６の周壁４８部分に目を移すと、周壁４８には２か所の開口５８、５９が設けられている。開口５８，５９は、約９０°離れた位置に設けられている。このように、１８０°ではなく、９０°の位置に両開口５８，５９を配した理由は、当該開口５８，５９は、吐出口６，７に直接繋がるものであり、吐出口６，７は、浴槽の下向き側に位置することが望ましいので、いずれの開口５８，５９も下向きに配するためである。なお、上記した９０°という開口５８，５９間の角度は、適宜変更してもよく、また開口５８，５９を共に真下に向くように並べてもよい。
　【００３２】
　この開口５８，５９の形状は、同一であり、開口５８，５９の部位は、他の部位よりも厚肉に成形されており、図６（ｄ）の様に周面から見て窪んだ状態となっていて、その最奥部に開口が形成されている。開口５８，５９の周囲には、図６（ｄ）（ｅ）の様にリブ６４が設けられている。当該リブ６４の機能は、吐出弁１６，１８を弁座となるリブ６４に線接触させ、吐出弁１６，１８の固着を防止するものである。
　また本実施形態では、リブ６４の一部に切り欠き部分６９が設けられている。切り欠き部分６９を設けた理由は、浴槽内の水を排水した際、仕切り部材２２内に残る水を排水できる様にする為であり、冬季の凍結防止を主たる目的としたものである。
　【００３３】
　また開口５８，５９には、軸方向の桟６０が設けられている。なお、この桟６０は、後記する吐出弁１６，１８の可動部８１が内側に入り込まない様に設けられたものであり、本実施形態の様な縦桟ばかりでなく、横桟や網状であっても良い。ただし、ゴミが詰まる様な大きさのものは好ましくない。
　開口５８，５９の部位の仕切り壁４７面には、それぞれ２つづつ孔６２が設けられている。本実施形態では、孔６２は、ざぐり形状を有するものであり、孔６２の断面形状は、図６（ｅ）の様に座部５４が設けられている。
　【００３４】
　また周壁４８の開放側近くの位置であって、開口５８，５９の双方と等角の位置には、空気抜き用の小孔１０５が設けられている。
　この他、周壁４８には、位置決めおよびフィルター部材取り付け用の切り溝１０６が３か所設けられている。
　【００３５】
　そして前記した仕切り壁４７の内側、より具体的には、周壁４８の立設方向側であって、一方の開口５８と、仕切り壁４７の中央部分との間には、流路形成壁６３が設けられている。すなわち、流路形成壁６３は、弁取り付け部５１の一方の周囲を囲み、さらに開口５８を含む周壁４８側に延長されており、弁取り付け部５１と開口５８を含む領域を、他の領域と区画している。
　【００３６】
　パッキン３７は、ゴムで作られたものであり、前記した本体３６の周壁４８の端部及び流路形成壁６３の端部に相当する形状をしている。
　【００３７】
　導入弁１５，１７は、ゴムによって作られたものであり、図７，８に示す様な傘形状をしている。すなわち導入弁１５，１７は円盤状部６８と軸部７０により成る。そして円盤状部６８は、可撓性のあるシート状の素材であり、やや軸側に開いた形状をしており、その周辺には、リブ７１が設けられている。
　また軸部７０は、円盤状部６８の付け根の部位７２が太く、その先の装着部７３はやや細い。また装着部７３の先の係合部７５は、装着部７３よりも太く作られている。そして係合部７５の更に先の導入部７６は、他のどの部分よりも細く作られている。なおこの導入部７６は、後記する様に導入弁１５，１７を装着した後、必要に応じて切断される。
　【００３８】
　一方、吐出弁１６，１８は、図１０，１１の様なスイング形のものである。すなわち吐出弁１６，１８はゴムの様な可撓性を有する素材によって作られたものであり、全体形状は逆「Ｌ」形をしている。より具体的には、平板状の台座部８０に板状の可動部８１が垂直に設けられたものである。台座部８０は、前記した仕切り部材２２の円弧形状に合わせた円弧面が形成されている。また台座部８０の背面には、二つの軸部８５が設けられている。軸部８５の形状は、前記した導入弁１５，１７のそれと略同様であり、やや細く作られた装着部８６と、装着部８６の先に設けられた太い係合部８７と、さらにその先端であって細い導入部８８よりなる。
　一方可動部８１は、前記した台座部８０よりも薄く作られており、先端側には、仕切り部材２２の円弧形状に略合致する円弧形状となっている。そして先端の背面側、すなわち封止機能を発揮しない方の辺部には、補強リブ８３が設けられている。
　台座部８０と可動部８１の付け根部分８２は、アール形状にえぐられており、可動部８１が矢印方向に変形し易い様に配慮されている。
　【００３９】
　仕切り部材２２の組み立て構造は、図４の様に本体３６の開口面にパッキン３７を挟んで底板３５が装着され、本体３６の弁取り付け部５０，５１に導入弁１５，１７が装着され、開口５８，５９に吐出弁１６，１８が装着されたものである。
　本体３６、パッキン３７、底板３５の三者が組合わさった状態では、仕切り部材２２の内部は、流路形成壁６３によって、二つの空間に仕切られている。より具体的には、仕切り部材２２の中は、弁取り付け部５１及び開口５８を含む仕切りと、弁取り付け部５０及び開口５９を含む仕切りとに仕切られている。
　そして前者の弁取り付け部５１と開口５８を含む仕切り内には、底板３５の管状部３８が開口し、この仕切り内の空間は、当該管状部３８を介して外部と連通している。
　一方後者の弁取り付け部５０及び開口５９を含む仕切りは、底板３５の開口４５を介して外部と連通している。
　【００４０】
　導入弁１５，１７は、仕切り部材２２の内側に配置され、仕切り壁４７の外側から仕切り部材２２の中に入る方向の水流を許し、その逆は阻止する。
　導入弁１５，１７の取り付け構造は図７の様であり、弁取り付け部５０，５１の中央の軸挿通孔５３に、導入弁１５，１７の軸部７０の導入部７６を挿通し、これを強く引いて軸挿通孔５３に装着部７３を挿通させる。その結果、係合部７５が軸挿通孔５３に係止し、導入弁１５，１７は、弁取り付け部５０，５１に固定される。また仕切り部材２２の内側では、底板３５の突起９０，９１が軸部７０の背面と当接している。導入弁１５，１７の導入部７６は導入弁１５，１７を取り付けた後に切断される。
　【００４１】
　導入弁１５，１７の挿着方法について付言すると、前記した様に導入弁１５，１７は、図７（ｂ）の様に、弁取り付け部５０，５１の中央の軸挿通孔５３に、導入部７６を挿通し、指等で強く引き上げて軸挿通孔５３に装着部７３を挿通させる。そして、その後ニッパやナイフ等によって、図７（ｃ）の様に、導入部７６を切断する。この導入部７６を切断する際には、誤って係合部７５を切ってしまわないように注意すべきである。
　なお、誤って係合部７５を切除することが特に懸念される場合には、図７（ｄ）の様に、軸挿通孔５３の周囲に周壁７４を設け、この周壁７４の内部に係合部７５がすっぽりと嵌まりこむ構造とすることが望ましい。この様に周壁７４の内部に係合部７５が嵌まり込む構成とすることにより、導入部７６を切断する際に、刃物が係合部７５と接触することが防がれるので、誤って係合部７５を切除することはない。
　【００４２】
　導入弁１５，１７の作用を説明すると、導入弁１５，１７は、仕切り壁４７の外側から圧力を受けた場合には、図９（ｂ）のように円盤状部６８がめくれて外部から仕切り部材２２内への湯の導入を許す。
　一方仕切り部材２２の圧力が外部よりも高い場合には、円盤状部６８が開口５５に密着し、仕切り部材２２内の湯が外部に漏れることを防ぐ。
　本実施形態において、突起９０，９１を軸部７０の背面と当接させた理由は、軸部７０に過度の負担がかかることを防止するためであり、軸部７０が伸びたままとなり、シール性が劣化することを防止するものであって、推奨すべき構成であるが、突起９０，９１が無い構成であっても、弁としての機能には支障はない。
　【００４３】
　また吐出弁１６，１８の開口５８，５９への取り付けは、仕切り部材２２の中から、外へ流れる水流を許し、その逆を阻止するように、吐出弁１６，１８を開口５８，５９の外側に配置して行われる。
　吐出弁１６，１８の取り付け構造は、具体的には図１２の様であり、前述の導入弁１５，１７と略同様に、弁開口５８，５９の孔６２に軸部８５の導入部８８を挿通し、これを強く引いて孔６２に装着部８６を挿通させ、係止部８７を孔６２に係止させることにより行う。本実施形態では、吐出弁１６，１８の係止部８７は、孔６２の座部５４に納まる。吐出弁１６，１８の導入部８８は吐出弁１６，１８の取り付け後に切断される。切断の際には、座部５４が図７（ｄ）で説明した周壁７４と同様の機能を果たし、刃物が直接係止部８７に触れることを防止する。
　【００４４】
　フィルター部材２３は、外装部材９５と内装部材９６及びフィルター９７によって構成される。
　フィルター部材２３の外装部材９５と内装部材９６は、相似形であるので、外装部材９５を代表として説明する。外装部材９５は、ステンレススチール等の錆に強い金属によって作られたものであり、碗状をしていて一方が有底であり、他方は開放されている。
　そして有底側、すなわちフィルター部材２３を取り付けた状態で正面となる部位には、吸い込み口５となる開口９８が設けられている。吸い込み口５の形状は本発明に特有のものである。すなわち吸い込み口５は、図１３の様に中心部分１００と、約６０°の扇形の部位１０１はマスクされて封鎖されている。このマスクされた中心部分１００と扇形の部位１０１は、前記した仕切り部材２２の弁取り付け部５０，５１に面した位置に相当する。
　【００４５】
　また外装部材９５の側面には、吐出口６，７が設けられている。この開口の位置は、前記した仕切り部材２２の開口５８，５９の位置に相当する。
　さらに外装部材９５の側面であって、上記した吐出口６，７と等角の位置には、空気抜き用の小孔１１０が設けられている。またこの小孔１１０は、高さ方向には、図１３（ｂ）の様に上部（浴槽に取り付けた状態では正面近傍の位置）に設けられている。
　小孔１１０の位置は、前述の仕切り部材２２の小孔１０５の位置に近いが、円周方向の角度あるいは外装部材９５の高さ方向には不一致である。
　また外装部材９５の内面には、位置決め及び係止用の突起１１２が３か所設けられている。
　【００４６】
　フィルター部材２３は、上記した外装部材９５と、内装部材９６の間に、円形のフィルター９７を挟んだものである。従ってフィルター部材２３の正面の開口９８、すなわち吸い込み口５として機能する開口９８には、フィルター９７が装着される。その一方でフィルター部材２３の側面の吐出口６，７にはフィルターは無い。
　【００４７】
　次に、本実施形態の強制循環用浴槽連結装置１の組み立て構造について説明する。
　本実施形態の強制循環用浴槽連結装置１では、仕切り部材２２の仕切り壁４７側にフィルター部材２３が装着される。フィルター部材２３の装着は、フィルター部材２３の突起１１２を仕切り部材２２の切り溝１０６に一致させると共に、両者を嵌合させて行う。
　フィルター部材２３が仕切り部材２２に装着された状態では、仕切り部材２２の弁取り付け部５０，５１に面した部位に、中心部分１００のマスク位置と、扇形の部位１０１のマスク位置が一致する。
　また仕切り部材２２の開口５８，５９の位置にフィルター部材２３の吐出口６，７が一致する。
　しかしながら本実施形態では、図１４の様に空気抜き用の小孔１０５，１１０については、仕切り部材２２側では背面近くにあり、フィルター部材２３側では表面近くにあるので、両者は一致しない（図１４参照）。
　【００４８】
　フィルター部材２３が仕切り部材２２に装着された状態では、仕切り部材２２の正面側の角の部位１１５とフィルター部材２３の内面の角の部位１１６は密着し、両者の接触線を境に正面側と側面側との湯の流通は遮断される（図１７ｂ参照）。
　またフィルター部材２３と、仕切り部材２２の仕切り板４７との間には、吸い込み室となる空間１２０が形成される（図１７ｂ参照）。
　【００４９】
　仕切り部材２２の後端側には、内嵌合部材２１が装着される。内嵌合部材２１は、その表面の突起３２を仕切り部材２２の底板３５の凹部４３に嵌合して、開口５８，５９すなわち吐出口６，７が下向きになる様に、位置決めを行う。また仕切り部材２２と内嵌合部材２１との結合は、凹部４３の３箇所の貫通孔に図示しないネジを挿通し、このネジを内嵌合部材２１の突起３２に設けられたネジ孔に嵌合させて行う。
　なお、実際の取り付けは、内嵌合部材２１を先に浴槽に取り付け、その後に仕切り部材２２等を取り付けることとなるので、仕切り部材２２を取り付ける際には、空気抜き用の小孔１１０が上方向に位置されるように、仕切り部材２２の凹部４３と内嵌合部材２１の突起３２との組み合わせを選択する。
　【００５０】
　内嵌合部材２１の外側には、外嵌合部材２０が取り付けられている。両者の結合は、内嵌合部材２１のネジ２９と外嵌合部材２０の雌ねじ（図示せず）を嵌合させることによって行う。外嵌合部材２０の管２７は、図３の様に仕切り部材２２の管状部３８内に入る。また外嵌合部材２０の底面と、仕切り部材２２の管状部３８の外周および内嵌合部材２１の内面によって、空間１２１が形成される。
　【００５１】
　その結果、強制循環用浴槽連結装置１内には、独立した二つの流路Ａ，Ｂが形成される。図１８，図２０は、流路を明確にするために、図３の図面の一部を省略した断面図である。また図１９，図２１は、流路を明確にするために、簡略に描いた強制循環用浴槽連結装置１のフィルター部材を取り除いた状態での斜視図である。
　流路の一つＡは、強制循環用浴槽連結装置１の中心部および、仕切り部材２２の流路形成壁６３によって形成される流路である。すなわち流路Ａは、接続部材１１から、仕切り部材２２の管状部３８に接続され、さらに管状部３８から仕切り部材の本体３６の中心部に接続され、流路形成壁６３で囲まれる流路を経て開口５８および吐出口６に連通する流路である。
　この流路Ａ中には、吸い込み室となる空間１２０との間に、当該空間１２０から流路Ａ方向への流れのみを許す導入弁１７が取り付けられている。また流路Ａ中には、吐出口６との間に、流路Ａから吐出口６への流れのみを許す吐出弁１８が取り付けられている。
　【００５２】
　一方流路Ｂは、強制循環用浴槽連結装置１の周辺部に形成される流路である。すなわち流路Ｂは、接続部材１０から、仕切り部材２２の管状部３８の外周および内嵌合部材２１の内面によって形成される空間１２１に接続され、さらに仕切り部材２２の底板３５に設けられた開口４５から仕切り部材の本体３６（流路形成壁６３で囲まれる流路以外の部分）に接続され、さらに開口５９および吐出口７に連通する流路である。
　この流路Ｂ中には、吸い込み室となる空間１２０との間に、当該空間１２０から流路Ｂ方向への流れのみを許す導入弁１５が取り付けられている。また流路Ｂ中には、吐出口７との間に、流路Ｂから吐出口７への流れのみを許す吐出弁１６が取り付けられている。
　【００５３】
　次に本実施形態の強制循環用浴槽連結装置１の作用について説明する。
　本実施形態の強制循環用浴槽連結装置１では、接続部材１０と１１のいずれに往き配管２０３または戻り配管２０５を接続しても、湯は、正面の吸い込み口５から吸い込まれ、側面部の吐出口６又は７から吐出される。
　【００５４】
　まず接続部材１１に往き配管２０３を接続し、接続部材１０に戻り配管２０５を接続した場合について、図１８，１９を参照しつつ説明する。図１８，１９では、接続部材１１に往き配管２０３を接続し、接続部材１０に戻り配管２０５を接続した場合の湯の流れを矢印で示している。
　すなわちこの場合では、接続部材１１から供給される湯は、流路Ａを流れて吐出口６から浴槽内に吐出され、浴槽内の湯は、吸い込み口５から流路Ｂを通って戻り配管２０５に流れる。
　より具体的には、接続部材１１から供給される湯は、仕切り部材２２の管部３８に流れ込み、さらに管部３８から仕切り部材の本体３６の中心部に流れる。ここで接続部材１１に往き配管２０３が接続されている場合は、仕切り部材２２側は、吸い込み室となる空間１２０よりも圧力が高い。そのため導入弁１７は、図１８の様に閉じている。そのため湯は、流路形成壁６３で囲まれる流路を流れる。すなわち図１８，１９の様に、湯は流路Ａに沿って流れ方向を変え、仕切り部材２２の開口５８に向かう。そして吐出弁１８を押し広げ、湯は吐出口６から浴槽に流れ込む。
　【００５５】
　一方接続部材１０が戻り配管２０５に接続されているので、流路Ｂの圧力が低下する。その結果、吐出弁１６が閉じ、導入弁１５が開く。そして吸い込み口５から入った湯は、導入弁１５から仕切り部材の本体３６（流路形成壁６３で囲まれる流路以外の部分）に流れ込み、さらに開口４５から、仕切り部材２２の管状部３８の外周および内嵌合部材２１の内面によって形成される空間１２１に流れ、最後に接続部材１０に流れる。
　【００５６】
　なお、本実施形態の強制循環用浴槽連結装置１では、吐出弁１８の先端側が仕切り部材２２の円弧形状に略合致する円弧形状となっているので、吐出口６から湯が吐出される際の吐出弁１８の開度が広い。
　すなわち、一般的にスィング形の弁では、図２６のように可動部８１となる変形部分の形状は、長方形が採用される場合が多い。しかしながら、本実施形態の様に全体形状が円盤状であって、しかもその最外側の位置に吐出弁１６が設けられてる場合には、図２６の様に吐出弁１６が開いた時、吐出弁１６の可動部８１の角の部分が長方形の場合、フィルター部材２３の内側と接触してしまい、開度が制限される。これに対して本実施形態では、図２５の様に、可動部８１の先端側が仕切り部材２２の円弧形状に略合致する円弧形状となっているので、吐出弁１６の角の部分がフィルター部材２３の内側に当接することはない。本実施形態の様に、可動部８１の形状を円弧状とする形態は、本発明の形態として推奨すべきものであるが、本発明はもちろんこの形態にこだわるものではなく、図２６のように可動部の形状に一般的な長方形を採用しても良い。
　【００５７】
　本実施形態の強制循環用浴槽連結装置１の湯の流れの説明を続けると、逆に接続部材１０に往き配管２０３を接続し、接続部材１１に戻り配管２０５を接続した場合は、前記とは全く逆の流路をたどって湯が循環する。図１９，２０では、接続部材１０に往き配管２０３を接続し、接続部材１１に戻り配管２０５を接続した場合の湯の流れを矢印で示している。
　すなわちこの場合では、接続部材１０から供給される湯は、流路Ｂを流れて吐出口７から浴槽内に吐出され、浴槽内の湯は、吸い込み口５から流路Ａを通って戻り配管２０５に流れる。
　より具体的には、接続部材１０から供給される湯は、仕切り部材２２の管状部３８の外周および内嵌合部材２１の内面によって形成される空間１２１に流れ、さらに仕切り部材２２の底板３５に設けられた開口４５から仕切り部材の本体３６（流路形成壁６３で囲まれる流路以外の部分）に流れ込む。ここで接続部材１０に往き配管２０３が接続されている場合は、仕切り部材２２側は、吸い込み室となる空間１２０よりも圧力が高い。そのため導入弁１５は、図２０の様に閉じ、吐出弁１６が開いて吐出口７から湯が浴槽に吐出される。
　【００５８】
　一方接続部材１１が戻り配管２０５に接続されているので、流路Ａの圧力が低下する。その結果、吐出弁１８が閉じ、導入弁１７が開く。そして吸い込み口５から入った湯は、導入弁１７から仕切り部材の本体３６（流路形成壁６３で囲まれる流路）に流れ込み、管状部３８を経て接続部材１１に戻る。
　【００５９】
　すなわち本実施形態の強制循環用浴槽連結装置１では、接続部材１０と１１のいずれに往き配管２０３または戻り配管２０５を接続しても、湯は、正面の吸い込み口５から吸い込まれ、側面部の吐出口６又は７から吐出される。そして、本実施形態の強制循環用浴槽連結装置１では、正面の吸い込み口５にはフィルター９７があるが、側面の吐出口６又は７部分にはフィルターは無い。そのため吐出口側でフィルター詰まりが起きることは無い。
　また本実施形態では、吸い込み口５と吐出口６，７は、配管前に決定されるので、それぞれの目的に応じて、吸い込み口５はできるだけ大きくすることができ、一方の吐出口６，７は、吐出流速を維持する程度に小さくすることができる。
　また本実施形態の強制循環用浴槽連結装置１では、吐出口が二箇所設けられており、強制循環用浴槽連結装置１内での流路は曲部が少ない。そのため本実施形態の強制循環用浴槽連結装置１は、内部の圧力損失が小さい。
　【００６０】
　また本実施形態では、吸い込み側のフィルターについても、均等に埃等を捕捉し、見栄えが良い。すなわち本実施形態の強制循環用浴槽連結装置１では、仕切り部材２２内への湯の導入は、弁取り付け部５０又は、５１から行われる。従って、当該部分は、他の部位に比べて流速が早いことが予想される。
　そのため、例えば図２４に示した様な、均等に開口を持つフィルター部材を採用すると、例えば弁取り付け部５０から湯を導入すると、これに相当する部位だけにゴミが集中してしまい、見栄えが悪い。
　これに対して、本実施形態の強制循環用浴槽連結装置１では、フィルター部材２３の弁取り付け部５０，５１に面した部位にマスクがされて当該部分が封鎖されている。そのため湯は、図２２の矢印の様に各開口９８から均等に吸い込まれ、吸い込み室となる空間１２０に入り、さらに図２３に示す様に例えば導入弁１５から仕切り部材２２内に入る。
　本実施形態の様な、弁取り付け部５０，５１に面した部位にマスクがされて当該部分が封鎖された形態は、フィルター部材の形状として最も推奨されるものであるが、本発明は、図２４に示した様な均等に開口を持つフィルター部材を採用を否定するものではない。
　【００６１】
　また本実施形態の強制循環用浴槽連結装置１は、浴槽の攪拌効率に優れるという特長も持っている。
　強制循環用浴槽連結装置では、全ての湯が吐出口から排出されることが攪拌効率を向上させる点で望ましい。しかしながら図１６に示すように、一般的には空気抜き孔からも湯が漏れてしまうのが実情であった。
　本実施形態の強制循環用浴槽連結装置１では、図１４及び図１５に示すように、仕切り部材２２の空気抜き用小孔１０６と、フィルター部材２３の空気抜き用小孔１１０は、ずれた位置関係にある。そのため仕切り部材２２の側面とフィルター部材２３の内側の隙間を通って両小孔１１６，１１０が連通することとなるが、この間の流路は入り組んだものとなり、ラビリンス的な作用効果を発揮する。そのため、空気については、両小孔１１６，１１０間を通過するが、湯は通過しにくい状態となる。
　従って、空気抜き用小孔１１０からは、空気だけが排出され、湯は、専ら吐出口６，７から排出されることとなる。
　【００６２】
　また本実施形態の強制循環用浴槽連結装置１は、流路のショートが無い点でも攪拌効率が優れる。
　すなわち一般的な強制循環用浴槽連結装置では、当該装置内で、湯の一部が循環してしまう問題点がある。
　具体的には、仕切り部材の吐出用の開口を出た湯が、仕切り部材とフィルター部材の間の隙間に流れ込み、さらに吸い込み室となる空間に湯が流れ込み、湯が排出されることなく、戻り配管側に流れてしまう。
　本実施形態の強制循環用浴槽連結装置１は、この問題点に対しても対策が講じられている。すなわち、本実施例の強制循環用浴槽連結装置１では、図１７（ｂ）の様に、仕切り部材２２の正面側の角の部位１１５とフィルター部材２３の内面の角の部位１１６は密着しており、両者の接触線を境に正面側と側面側との湯の流通は遮断される。そのため図１７（ｂ）の様に仕切り部材２２の吐出用の開口５８，５９を出た湯は、吸い込み室となる空間１２０に流れ込むことなく、全て吐出口６又は７から排出される。
　なお、仕切り部材２２の正面側の角の部位１１５と、フィルター部材２３の内側の角の部位１１６の密着は、パッキンを介して行ってもよい。
　【００６３】
　次に、本発明の他の実施形態について説明する。
　図２７は、他の実施形態における強制循環用浴槽連結装置の正面断面図である。図２８は、先の実施形態における強制循環用浴槽連結装置に対して呼び水を行う際の様子を図示した断面図である。図２９は、もう一つの実施形態における強制循環用浴槽連結装置１の正面断面図である。
　【００６４】
　図２７に示す強制循環用浴槽連結装置１３０は、流路Ａと空間１２０の間に取り付けた導入弁１３１の取り付け部を変更したものである。すなわち先の実施形態では、導入弁１７は、仕切り部材２２の中心に配置されていたのに対し、本実施形態では、脇の部位に配置されている。
　また本実施形態では、吐出口６，７近傍の吐出弁１３３，１３５は、板状であって、軸をもって仕切り部材２２に固定され、つるまきばね１３６で付勢されたものが採用されている。さらにフィルター部材２３は、ネジ１４０によって仕切り部材２２に固定されている。
　【００６５】
　本実施形態の強制循環用浴槽連結装置１３０は、先の実施形態の強制循環用浴槽連結装置１に比べて組み立てが容易であるという利点がある。
　しかしその反面で、強制循環用浴槽連結装置１３０は、呼び水を行いにくいという欠点がある。
　すなわち、強制循環式熱源機の形式によって、例えば図４２の様に風呂側に給水経路を持たないものでは、浴槽の設置時にポンプの呼び水を行う必要があるものがある。
　ここで先に例示した実施形態の強制循環用浴槽連結装置１では、図２８の様に、フィルター部材２３を取り外し、弁取り付け部５１に直接ホース１４１を押し当てることにより行うことができる。ここで弁取り付け部５１では、ホース１４１を押し当て易い様にテーパ又はアール形状をしている。
　【００６６】
　これに対して、強制循環用浴槽連結装置１３０では、フィルター部材２３を外して中心にホースを押し当てた際、ネジ穴から水が仕切り部材２２内に入るに過ぎず、誠に効率が悪い。また導入弁１３１にホース１４１を押し当てることも考えられるが、寸法あるいはデザインの制約で先に例示した実施形態の強制循環用浴槽連結装置１の様なテーパあるいはアールを設けることができないため、ホース１４１を押し当て難く、やはり効率が悪い。
　【００６７】
　また強制循環用浴槽連結装置１３０は、吐出弁１３３，１３５につるまきばねを有するものを採用したので、先の実施形態に比べて弁１３３，１３５の動作が確実であるという利点があるものの、部品点数が増加するという欠点も内包する。
　【００６８】
　図２９に示した強制循環用浴槽連結装置１４６は、先の二つの強制循環用浴槽連結装置１，１３０を折衷したものであり、流路Ａと空間１２０の間に取り付けた導入弁１７は、仕切り部材２２の中心に配置され、吐出口６，７近傍の弁１３３，１３５は、板状であって、軸をもって仕切り部材２２に固定され、つるまきばね１３６で付勢されたものが採用されている。
　【００６９】
　次に、強制循環用浴槽連結装置１の細部についての改良点や変形例について説明する。
　図３０は、強制循環用浴槽連結装置の問題点を示す本発明の強制循環用浴槽連結装置の導入弁部分の断面図である。図３１は、他の実施形態における図３０に相当する断面図である。図３２（ａ）は、図３１の強制循環用浴槽連結装置の仕切り部上面の平面図であり、（ｂ）は仕切り部下面の平面図である。図３３は、他の実施形態における導入弁部分の断面図である。
　【００７０】
　先の実施形態の強制循環用浴槽連結装置１では、導入弁１５，１７は、係止部７５によってつり下げた様な状態で固定されている。そのため長年の使用によるゴムの劣化や、呼び水の際の強い水流によって、係止部７５が切れたり外れる場合がある。そしてこの導入弁１５，１７は、水流によって強制循環式熱源機の方に運ばれ、配管が詰まってしまう事故が予想される。
　【００７１】
　そこでこの対策として、導入弁１５，１７の内側部分に、桟や網あるいは格子状の部材を設け、一導入弁１５，１７が外れた場合に、この格子状等の部分で、導入弁１５，１７を止める方策が有効である。
　【００７２】
　図３１は、この様な観点から、導入弁１５，１７の内側に格子状の部材１４３を設けた例を示すものである。本実施形態によると、万一、導入弁１５，１７が外れた場合でもこの格子状等の部材１４３で、導入弁１５，１７を止めることができる。
　【００７３】
　格子状の部材１４３としては、例えば、図３２（ｂ）の様な十文字形状のものが考えられる。
　また図３３は、格子状の部材１４４に突起１４５を設け、当該突起１４５で、導入弁１５，１７の軸の裏面を当接させる例を示したものである。この突起１４５は、前述の突起９０，９１と同じ機能を有するもので、導入弁１５，１７の軸部７０が伸びてシール性が劣化しない様にするためのものである。
　【００７４】
　次に吐出弁１６，１８の改良点について説明する。
　図３４は、強制循環用浴槽連結装置の問題点を示す吐出弁部分の断面図である。図３５は、他の実施形態で採用する吐出弁の断面図である。図３６は、図３５に示した吐出弁を装着した強制循環用浴槽連結装置の要部の断面図である。図３７は、他の実施形態で採用する吐出弁の斜視図である。図３８は、他の実施形態で採用する吐出弁の斜視図である。図３９は、図３８の他の実施形態で採用する吐出弁の通常時と変形時の側面図である。図４０は、変形例の吐出弁を装着した強制循環用浴槽連結装置の要部の断面図である。図４１は、他の実施形態で採用する吐出弁の正面図、平面図、及び側面図である。
　【００７５】
　先に説明した強制循環用浴槽連結装置１では、吐出弁１６，１８の補強リブ８３を設けた構成を説明した。この補強リブ８３の作用は、吐出弁１６，１８の剛性を向上させて、可動部が捲れてしまうことを防ぐものである。
　すなわち、吐出弁１６，１８の剛性が低い場合には、図３４の様に、吸込流によって吐出弁１６，１８が仕切り部材２２の中に入ってしまう場合が想定されるので、前記した実施形態では、これを未然に防ぐべく、吐出弁１６，１８の周部に補強リブ８３を設けたのである。
　【００７６】
　図３５に示す吐出弁１５０は、同様の目的を達成する為の他の態様であり、吐出弁の内部に金属あるいは樹脂の板１５１を内蔵したものである。本実施形態の吐出弁１５０は、図３６に示す様に、先の吐出弁１６，１８と同様に設置することができる。
　また図３７の吐出弁１５２は、同じく内部に樹脂の板１５３を内蔵したものである。本実施形態では、樹脂の板１５３は、開口５８，５９の形状に併せてコの字形のものが採用されている。
　【００７７】
　さらに、図３８，３９に示す吐出弁１５５は、可動部８１の背面に、３つの三角状当接部材１５６を設けたものである。本実施形態の吐出弁１５５は、水流を受けて開状態となった時、図３９（ｂ）の様に、三角状当接部材１５６が弁座部８０と当接して吐出弁の開度を一定に調節する。従って、本実施形態では、可動部８１が過度に開くことはなく、吐出弁の疲労が少ない。
　また本実施形態によると、可動部８１の開度を一定に保つことが可能であるため、吐出の際の方向を予測することができる。すなわち、吐出口から吐出される湯の方向は、攪拌効率を設定する上で重要な要因の一つである。
　しかしながら、先の実施形態の様な吐出弁１６，１８であれは、吐出量によって、可動部８１の開度が代わってしまい、正確な吐出方向の予測が難しい。それに対して、本実施形態で採用する吐出弁１５５では、可動部８１の開度が制限されるので、吐出方向の予測が容易である。本実施形態では、弁の開度を制限する部材として、三角状当接部材１５６を採用し、三角状当接部材１５６を可動部８１の背面に設けたが、三角以外の形状のものでも、弁の開度を制限する部材として採用可能である。またこの弁の開度を制限する部材を、台座部８０に設ける構成も可能である。
　【００７８】
　図４０に示す吐出弁１５８は、吐出弁座に対する密着性を向上させたものである。
　すなわち、吐出弁１５８は、内部に鋼や、ニッケル等の磁性体１５９を内蔵している。また一方、仕切り部材２２の開口５８，５９の仕切り板４７側の部位には、磁石１６０が配置されている。
　本実施形態では、仕切り部材２２に設けられた磁石１６０によって磁性体１５９が吸引され、吐出弁１５８の弁座に対する当接が確実となる。
　なお、本実施形態では、吐出弁１５８に磁性体を内蔵し、仕切り部材２２に磁石を内蔵させたが、吐出弁１５８に磁石を内蔵させ、仕切り部材２２に磁性体を配する構成や、双方を磁石とする構成も可能である。
　【００７９】
　図４１に示した吐出弁１６２は、軸部１６３がただ一つのものを例示したものである。また本実施形態では、軸部は、角柱状をしている。
　【００８０】
　【発明の効果】
　本発明の強制循環用浴槽連結装置は、流路変更による圧力損失が少なく、流路抵抗が低いという効果がある。
　【００８１】
　さらに本発明の強制循環用浴槽連結装置は、ごみの集中がなく、使用時の見栄えが良いという効果がある。
　【００８２】
　またさらに本発明の強制循環用浴槽連結装置は、強制循環用浴槽連結装置の空気抜きの効率が優れ、かつ他の部位からの水漏れを防止することができる効果がある。
　【００８３】
　また本発明の強制循環用浴槽連結装置では、水流を受けて弁の軸が延びることがなく、シート状の部位はいつまでも開口に密着した状態を維持し、経年変化が少なく初期の性能を発揮する効果が期待できる。
【図面の簡単な説明】
　【図１】
　本発明の実施形態における強制循環用浴槽連結装置を示し、（ａ）は正面図、（ｂ）は底面図である。
　【図２】
　図１の強制循環用浴槽連結装置に内蔵される弁の組み合わせの回路図である。
　【図３】
　図１の強制循環用浴槽連結装置の断面図である。
　【図４】
　図１の強制循環用浴槽連結装置の分解斜視図である。
　【図５】
　図１の強制循環用浴槽連結装置の内嵌合部材の斜視図である。
　【図６】
　図１の強制循環用浴槽連結装置の仕切り部材の本体を示し、（ａ）は正面図、（ｂ）は側面断面図、（ｃ）は背面図、（ｄ）は開口部分の斜視図、（ｅ）は開口部分の詳細断面図、（ｆ）はＢ方向矢視図である。
　【図７】
　（ａ）は、図１の強制循環用浴槽連結装置の導入弁の断面図であり、（ｂ）（ｃ）は、導入弁の取り付け手順を示す断面図であり、（ｄ）は、他の実施形態における導入弁の取り付け手順を示す断面図である。
　【図８】
　図７の導入弁の斜視図であり、（ａ）は上方向から、（ｂ）は下方向から見た状態を表す。
　【図９】
　（ａ）（ｂ）は、図７の導入弁の取り付け状態を示す説明図である。
　【図１０】
　図１の強制循環用浴槽連結装置の吐出弁を示し、（ａ）は正面図、（ｂ）は側面図である。
　【図１１】
　図１の強制循環用浴槽連結装置の吐出弁の斜視図である。
　【図１２】
　図１１の吐出弁の取り付け状態を示す拡大断面図である。
　【図１３】
　図１の強制循環用浴槽連結装置のフィルター部材の外装部材を示し、（ａ）は正面図、（ｂ）は平面図、（ｃ）は底面図、（ｄ）は背面図である。
　【図１４】
　図１の強制循環用浴槽連結装置の組み立て状態を説明する説明図である。
　【図１５】
　図１の強制循環用浴槽連結装置の空気抜き用の小孔の位置関係を説明する平面図である。
　【図１６】
　図１の強制循環用浴槽連結装置の空気抜き用の作用を説明する強制循環用浴槽連結装置の斜視図である。
　【図１７】
　図１の強制循環用浴槽連結装置の組み立て状態を説明する図面であり、（ａ）は仕切り部材の斜視図であり、（ｂ）は仕切り部材とフィルター部材の組み立て関係を示す断面図である。
　【図１８】
　図１の強制循環用浴槽連結装置の内部および内部での湯の流れを模式的に説明した説明図である。
　【図１９】
　強制循環用浴槽連結装置の仕切り部材内での湯の流れを模式的に説明した斜視図である。
　【図２０】
　図１の強制循環用浴槽連結装置の内部および内部での湯の流れを模式的に説明した説明図である。
　【図２１】
　強制循環用浴槽連結装置の仕切り部材内での湯の流れを模式的に説明した斜視図である。
　【図２２】
　強制循環用浴槽連結装置の吸い込み口周辺での湯の流れを模式的に説明したフィルター部材の正面図でる。
　【図２３】
　強制循環用浴槽連結装置の吸い込み口周辺と、仕切り部材内での湯の流れを模式的に説明したフィルター部材と仕切り部材の断面図である。
　【図２４】
　変形実施例の強制循環用浴槽連結装置のフィルター部材の正面図である。
　【図２５】
　（ａ）は、図１の強制循環用浴槽連結装置の吐出口から湯が排出される際における吐出弁の挙動を示す要部の正面断面図であり、（ｂ）は、（ａ）のＡ−Ａ断面図である。
　【図２６】
　（ａ）は、変形実施例の強制循環用浴槽連結装置の吐出口から湯が排出される際における吐出弁の挙動を示す要部の正面断面図であり、（ｂ）は、（ａ）のＡ−Ａ断面図である。
　【図２７】
　他の実施形態における強制循環用浴槽連結装置の正面断面図である。
　【図２８】
　先の実施形態における強制循環用浴槽連結装置に対して呼び水を行う際の様子を図示した断面図である。
　【図２９】
　もう一つの実施形態における強制循環用浴槽連結装置の正面断面図である。
　【図３０】
　強制循環用浴槽連結装置の問題点を示す本発明の強制循環用浴槽連結装置の導入弁部分の断面図である。
　【図３１】
　他の実施形態における図３０に相当する断面図である。
　【図３２】
　（ａ）は図３１の強制循環用浴槽連結装置の仕切り部上面の平面図であり、（ｂ）は仕切り部下面の平面図である。
　【図３３】
　他の実施形態における導入弁部分の断面図である。
　【図３４】
　強制循環用浴槽連結装置の問題点を示す吐出弁部分の断面図である。
　【図３５】
　他の実施形態で採用する吐出弁の断面図である。
　【図３６】
　図３５に示した吐出弁を装着した強制循環用浴槽連結装置の要部の断面図である。
　【図３７】
　他の実施形態で採用する吐出弁の斜視図である。
　【図３８】
　他の実施形態で採用する吐出弁の斜視図である。
　【図３９】
　他の実施形態で採用する吐出弁を示し、（ａ）は通常時の側面図であり、（ｂ）は変形時の側面図である。
　【図４０】
　変形例の吐出弁を装着した強制循環用浴槽連結装置の要部の断面図である。
　【図４１】
　他の実施形態で採用する吐出弁を示し、（ａ）は平面図、（ｂ）は正面図、（ｃ）は側面図である。
　【図４２】
　強制循環式の浴槽の構造を示す配管系統図である。
　【図４３】
　従来技術における強制循環用浴槽連結装置の正面図および底面図である。
　【図４４】
　従来技術における強制循環用浴槽連結装置の断面図である。
　【符号の説明】
　　１，１３０，１４６　　強制循環用浴槽連結装置
　　５　　　　　　　　　　吸い込み口
　　６，７　　　　　　　　吐出口
　　１０，１１　　　　　　接続部
　　１５，１７　　　　　　導入弁
　　１６，１８　　　　　　吐出弁
　　
２０
外嵌合部材
　　
２１
内嵌合部材
　　
２２
仕切り部材
　　
２３
フィルター部材
　　
３２
円筒状突起
　　
３３
雌ねじ
　　３５　　　　　　　　　底板
　　３６　　　　　　　　　本体
　　
３８
管状部
　　
４０
フランジ部
　　
４３
凹部
　　
４５
貫通孔
　　４７　　　　　　　　　仕切り壁
　　４８　　　　　　　　　周壁
　　５０，５１　　　　　　弁取り付け部
　　５３　　　　　　　　　軸挿通孔
　　
５６
孔
　　５８，５９　　　　　　開口
　　６０　　　　　　　　　桟
　　６３　　　　　　　　　流路形成壁
　　６４　　　　　　　　　リブ
　　６８　　　　　　　　　円盤状部
　　７０　　　　　　　　　軸部
　　７１　　　　　　　　　リブ
　　７３　　　　　　　　　装着部
　　７５　　　　　　　　　係合部
　　７６　　　　　　　　　導入部
　　８０　　　　　　　　　台座部
　　８１　　　　　　　　　可動部
　　８３　　　　　　　　　補強リブ
　　８５　　　　　　　　　軸部
　　８６　　　　　　　　　装着部
　　８７　　　　　　　　　係合部
　　８８　　　　　　　　　導入部
　　
９０
突起
　　
９１
突起
　　
９５
外装部材
　　
９６
内装部材
　　９７　　　　　　　　　フィルター
　１０５　　　　　　　　　空気抜き用の小孔
　１１０　　　　　　　　　空気抜き用の小孔
　１２０　　　　　　　　　吸い込み室となる空間
　１３１　　　　　　　　　導入弁
　１３３，１３５　　　　　吐出弁
　
１４５
突起
　１５０，１５２，１５８　吐出弁
　１５１　　　　　　　　　樹脂の板
　１５３　　　　　　　　　樹脂の板
　
１５５
吐出弁
　
１５６
当接部材
　１５９　　　　　　　　　磁性体
　１６０　　　　　　　　　磁石
　１６２　　　　　　　　　吐出弁
　
２０３
往き配管
　
２０５
戻り配管
【図面】